(57)【要約】  本開示は、フレーム構成の設定方法と装置、記憶媒体を提供し、フレーム構成の設定方法は、第１のノードが、第２のノードによって設定されたフレーム構成パラメータを受信するステップであって、前記フレーム構成パラメータがフレーム構成の周期とタイプを含み、前記フレーム構成パラメータが共通フレーム構成パラメータ、第１の専用フレーム構成パラメータ、第２の専用フレーム構成パラメータを含む、ステップと、前記第１のノードが、前記共通フレーム構成パラメータ及び／又は第１の専用フレーム構成パラメータに基づいてフレーム構成のアップリンク／ダウンリンク分割状況を取得し、前記第２の専用フレーム構成パラメータに基づいてｂａｃｋｈａｕｌリンクのアップリンク伝送用のフレーム構成及びｂａｃｋｈａｕｌリンクのダウンリンク伝送用のフレーム構成を決定するステップと、を含む。【選択図】図５
2022502936.tif 000002
【特許請求の範囲】
【請求項１】
第１のノードが、第２のノードによって設定されたフレーム構成パラメータを受信するステップであって、前記フレーム構成パラメータがフレーム構成の周期とタイプを含み、前記フレーム構成パラメータが共通フレーム構成パラメータ、第１の専用フレーム構成パラメータ、第２の専用フレーム構成パラメータのうちの少なくとも１つを含む、ステップと、
前記第１のノードが、前記共通フレーム構成パラメータ及び／又は第１の専用フレーム構成パラメータに基づいてフレーム構成のアップリンク／ダウンリンク分割状況を取得し、前記第２の専用フレーム構成パラメータに基づいてバックホールｂａｃｋｈａｕｌリンクのアップリンク伝送用のフレーム構成及びｂａｃｋｈａｕｌリンクのダウンリンク伝送用のフレーム構成を決定するステップと、を含むフレーム構成の設定方法。
【請求項２】
前記フレーム構成の周期は、スロット持続時間の整数倍であり、
前記フレーム構成のタイプは、アップリンクＵＬフレーム構成、ダウンリンクＤＬフレーム構成、Ｆｌｅｘｉｂｌｅフレーム構成を含む、請求項１に記載の方法。
【請求項３】
前記第２の専用フレーム構成パラメータ中のフレーム構成のタイプは、アップリンクｂａｃｋｈａｕｌフレーム構成、ダウンリンクｂａｃｋｈａｕｌフレーム構成のうちの少なくとも１つを含む、請求項２に記載の方法。
【請求項４】
前記フレーム構成パラメータは、伝送方向を更に含み、
前記第１のノードの下位ノードが端末ではなく、前記第１のノードと同じタイプの伝送ノードである場合、前記第２の専用フレーム構成パラメータの伝送方向は、前記共通フレーム構成パラメータ及び第１の専用フレーム構成パラメータの伝送方向を上書きするために用いられる、請求項３に記載の方法。
【請求項５】
前記第１のノードが、前記フレーム構成パラメータの組み合わせに基づいて、
１周期内に最終的にアップリンク／ダウンリンクに用いられる伝送タイムユニットと、
１周期内に最終的にｂａｃｋｈａｕｌアップリンク伝送又はｂａｃｋｈａｕｌダウンリンク受信に用いられる伝送タイムユニットと、
１周期内に最終的に本ノードがアップリンクタイムユニットをスケジューリングするための潜在的位置、又は１周期内に最終的に本ノードがダウンリンクタイムユニットをスケジューリングするための潜在的位置と、のうちの少なくとも１つを決定するステップを更に含み、
前記フレーム構成パラメータの組み合わせは、前記共通フレーム構成パラメータ、前記第１の専用フレーム構成パラメータ及び前記第２の専用フレーム構成パラメータと、前記共通フレーム構成パラメータ及び前記第２の専用フレーム構成パラメータと、前記第１の専用フレーム構成パラメータ及び第２の専用フレーム構成パラメータとを含む、請求項１に記載の方法。
【請求項６】
前記第１のノードの下位ノードがユーザ端末ではなく、前記第１のノードと同じタイプの伝送ノードであり、かつ前記第１のノードのｂａｃｋｈａｕｌリソースが下位の伝送ノードのｂａｃｋｈａｕｌリソースとオーバーラップするか又は部分的にオーバーラップする場合、前記第１のノードと下位の伝送ノードとの送受信状態が逆であり、前記送受信状態が逆であるとは、前記第１のノードがｂａｃｋｈａｕｌリソースで受信動作を実行するとき、下位の伝送ノードがオーバーラップするか又は部分的にオーバーラップする領域で送信動作を実行することを指し、
前記第１のノードの下位ノードがユーザ端末ではなく、前記第１のノードと同じタイプの伝送ノードであり、かつ前記第１のノードのｂａｃｋｈａｕｌリソースが下位の伝送ノードのｂａｃｋｈａｕｌリソースとオーバーラップしない場合、前記第１のノードと下位の伝送ノードとの送受信状態が逆又は同じであり、
前記第１のノードの下位ノードがユーザ端末である場合、前記ユーザ端末に対して設定されたフレーム構成が前記第１のノードのアップリンク／ダウンリンク分割状況と一致する、請求項１に記載の方法。
【請求項７】
前記第２の専用フレーム構成パラメータは、共通フレーム構成パラメータと第１の専用フレーム構成パラメータとの組み合わせで形成され、及び／又は、前記第２の専用フレーム構成パラメータは動的シグナリングであり、
前記動的シグナリングは、ダウンリンク制御情報ＤＣＩによって搬送されるフレーム構成設定パラメータである、請求項１に記載の方法。
【請求項８】
前記第１のノードは、
前記第１のノードが前記共通フレーム構成パラメータ及び／又は前記第１の専用フレーム構成パラメータ及び／又は前記第２の専用フレーム構成パラメータに基づいて下位ノードのフレーム構成を自律的に設定する方式と、
前記第１のノードが前記第１の専用フレーム構成パラメータ及び／又は動的フレーム構成パラメータに基づいて下位ノードのフレーム構成を自律的に設定する方式であって、前記動的フレーム構成パラメータが物理ダウンリンク制御チャネルＰＤＣＣＨによって設定される方式と、
前記第１のノードが前記共通フレーム構成パラメータ、前記第１の専用フレーム構成パラメータ及び動的フレーム構成パラメータに基づいてフレーム構成を設定する方式であって、設定されるフレーム構成が、アップリンクＵＬフレーム構成、ダウンリンクＤＬフレーム構成、フレキシブルフレーム構成、ｂａｃｋｈａｕｌ  ＵＬフレーム構成、ｂａｃｋｈａｕｌ  ＤＬフレーム構成、ｂａｃｋｈａｕｌ  ｍｕｌｔｉｐｌｅｘｉｎｇフレーム構成を含む方式と、
前記第１のノードが前記共通フレーム構成パラメータ及び／又は第１の専用フレーム構成パラメータ及び／又は動的フレーム構成パラメータに基づいて下位ノードのフレーム構成を自律的に設定する方式であって、前記動的フレーム構成パラメータがＰＤＣＣＨによって設定される方式と、のうちの少なくとも１つでフレーム構成を設定する、請求項１に記載の方法。
【請求項９】
前記第１のノードは、対応するダウンリンクｂａｃｋｈａｕｌ伝送リソースで前記第１のノードの上位ノードに所望のパワー調整を報告し、
前記パワー調整は、対応する帯域幅の受信パワー調整値、対応する帯域幅の送信パワー調整値、対応する帯域幅の所望の受信パワー、対応する帯域幅の所望の送信パワー、のうちの１つを含み、前記対応する帯域幅は１つのリソースブロックＲＢの帯域幅である、請求項１に記載の方法。
【請求項１０】
前記第１のノードは、ダウンリンクｂａｃｋｈａｕｌ伝送リソースに用いられるパワー調整を下位ノードに指示し、
前記パワー調整の値は、対応する帯域幅の受信パワー調整値、対応する帯域幅の送信パワー調整値、対応する帯域幅の所望の受信パワー、対応する帯域幅の所望の送信パワー、のうちの１つを含み、
或いは、前記パワー調整は、要求されたパワー調整値に基づいて調整するか否かを下位ノードに指示するように前記第１のノードに指示するために用いられ、
前記対応する帯域幅は１つのリソースブロックＲＢの帯域幅である、請求項１に記載の方法。
【請求項１１】
前記第１のノードが、上位ノードからのパワー調整指示を受信し、前記パワー調整指示に従って、対応するリソースで前記第１のノードの下位ノードのアップリンク伝送を多重化するステップと、
前記第１のノードが、上位ノードから送信されたｂａｃｋｈａｕｌデータを受信するステップと、
前記第１のノードが、下位ノードのｂａｃｋｈａｕｌリソースとオーバーラップするか又は部分的にオーバーラップする領域において下位ノードのアップリンクｂａｃｋｈａｕｌ伝送をスケジューリングするステップと、を更に含む請求項１に記載の方法。
【請求項１２】
第２のノードが、第１のノードに対してフレーム構成パラメータを設定するステップであって、前記フレーム構成パラメータがフレーム構成の周期とタイプを含み、前記フレーム構成パラメータが共通フレーム構成パラメータ、第１の専用フレーム構成パラメータ、第２の専用フレーム構成パラメータを含む、ステップを含み、
前記共通フレーム構成パラメータと第１の専用フレーム構成パラメータとは、フレーム構成のアップリンク／ダウンリンク分割状況を取得するために用いられ、前記第２の専用フレーム構成パラメータは、ｂａｃｋｈａｕｌリンクのアップリンク伝送用のフレーム構成及びｂａｃｋｈａｕｌリンクのダウンリンク伝送用のフレーム構成を決定するために用いられる、フレーム構成の設定方法。
【請求項１３】
前記フレーム構成の周期は、スロット持続時間の整数倍であり、
前記フレーム構成のタイプは、アップリンクＵＬフレーム構成、ダウンリンクＤＬフレーム構成、Ｆｌｅｘｉｂｌｅフレーム構成を含む、請求項１２に記載の方法。
【請求項１４】
前記第２の専用フレーム構成パラメータ中のフレーム構成のタイプは、アップリンクｂａｃｋｈａｕｌフレーム構成、ダウンリンクｂａｃｋｈａｕｌフレーム構成のうちの少なくとも１つを含む、請求項１３に記載の方法。
【請求項１５】
第１のノード側に適用されるフレーム構成の設定装置であって、
第２のノードによって設定されたフレーム構成パラメータを受信するように構成された受信モジュールであって、前記フレーム構成パラメータがフレーム構成の周期とタイプを含み、前記フレーム構成パラメータが共通フレーム構成パラメータ、第１の専用フレーム構成パラメータ、第２の専用フレーム構成パラメータを含む受信モジュールと、
前記共通フレーム構成パラメータ及び／又は第１の専用フレーム構成パラメータに基づいてフレーム構成のアップリンク／ダウンリンク分割状況を取得し、前記第２の専用フレーム構成パラメータに基づいてｂａｃｋｈａｕｌリンクのアップリンク伝送用のフレーム構成及びｂａｃｋｈａｕｌリンクのダウンリンク伝送用のフレーム構成を決定するように構成された処理モジュールと、を含む、フレーム構成の設定装置。
【請求項１６】
前記フレーム構成の周期は、スロット持続時間の整数倍であり、
前記フレーム構成のタイプは、アップリンクＵＬフレーム構成、ダウンリンクＤＬフレーム構成、Ｆｌｅｘｉｂｌｅフレーム構成を含む、請求項１５に記載の装置。
【請求項１７】
前記第２の専用フレーム構成パラメータ中のフレーム構成のタイプは、アップリンクｂａｃｋｈａｕｌフレーム構成、ダウンリンクｂａｃｋｈａｕｌフレーム構成のうちの少なくとも１つを含む、請求項１６に記載の装置。
【請求項１８】
前記第１のノードの下位ノードが端末ではなく、前記第１のノードと同じタイプの伝送ノードである場合、前記第２の専用フレーム構成パラメータの伝送方向は、前記共通フレーム構成パラメータ及び第１の専用フレーム構成パラメータの伝送方向を上書きするために用いられる、請求項１６に記載の装置。
【請求項１９】
前記フレーム構成パラメータの組み合わせに基づいて、
１周期内に最終的にアップリンク／ダウンリンクに用いられる伝送タイムユニットと、
１周期内に最終的にｂａｃｋｈａｕｌアップリンク伝送又はｂａｃｋｈａｕｌダウンリンク受信に用いられる伝送タイムユニットと、
１周期内に最終的に本ノードがアップリンクタイムユニットをスケジューリングするための潜在的位置、又は１周期内に最終的に本ノードがダウンリンクタイムユニットをスケジューリングするための潜在的位置と、のうちの少なくとも１つを決定するように構成された決定モジュールを更に含み、
前記フレーム構成パラメータの組み合わせは、前記共通フレーム構成パラメータ、前記第１の専用フレーム構成パラメータ及び前記第２の専用フレーム構成パラメータと、前記共通フレーム構成パラメータ及び前記第２の専用フレーム構成パラメータと、前記第１の専用フレーム構成パラメータ及び第２の専用フレーム構成パラメータとを含む、請求項１５に記載の装置。
【請求項２０】
前記第１のノードの下位ノードがユーザ端末ではなく、前記第１のノードと同じタイプの伝送ノードであり、かつ前記第１のノードのｂａｃｋｈａｕｌリソースが下位の伝送ノードのｂａｃｋｈａｕｌリソースとオーバーラップするか又は部分的にオーバーラップする場合、前記第１のノードと下位の伝送ノードとの送受信状態が逆であり、前記送受信状態が逆であるとは、前記第１のノードがｂａｃｋｈａｕｌリソースで受信動作を実行するとき、下位の伝送ノードがオーバーラップするか又は部分的にオーバーラップする領域で送信動作を実行することを指し、
前記第１のノードの下位ノードがユーザ端末ではなく、前記第１のノードと同じタイプの伝送ノードであり、かつ前記第１のノードのｂａｃｋｈａｕｌリソースが下位の伝送ノードのｂａｃｋｈａｕｌリソースとオーバーラップしない場合、前記第１のノードと下位の伝送ノードとの送受信状態が逆又は同じである、請求項１５に記載の装置。
【請求項２１】
前記共通フレーム構成パラメータ及び／又は前記第１の専用フレーム構成パラメータ及び／又は前記第２の専用フレーム構成パラメータに基づいて下位ノードのフレーム構成を自律的に設定する方式と、
前記第１の専用フレーム構成パラメータ及び／又は動的フレーム構成パラメータに基づいて下位ノードのフレーム構成を自律的に設定する方式であって、前記動的フレーム構成パラメータがＰＤＣＣＨによって設定される方式と、
前記共通フレーム構成パラメータ、前記第１の専用フレーム構成パラメータ及び動的フレーム構成パラメータに基づいてフレーム構成を設定する方式であって、設定されるフレーム構成が、アップリンクＵＬフレーム構成、ダウンリンクＤＬフレーム構成、フレキシブルフレーム構成、ｂａｃｋｈａｕｌ  ＵＬフレーム構成、ｂａｃｋｈａｕｌ  ＤＬフレーム構成、ｂａｃｋｈａｕｌ  ｍｕｌｔｉｐｌｅｘｉｎｇフレーム構成を含む方式と、
前記共通フレーム構成パラメータ及び／又は第１の専用フレーム構成パラメータ及び／又は動的フレーム構成パラメータに基づいて下位ノードのフレーム構成を自律的に設定する方式であって、前記動的フレーム構成パラメータがＰＤＣＣＨによって設定される方式と、のうちの少なくとも１つでフレーム構成を設定する、請求項１５に記載の装置。
【請求項２２】
第２のノード側に適用されるフレーム構成の設定装置であって、
第１のノードに対してフレーム構成パラメータを設定するように構成された設定モジュールであって、前記フレーム構成パラメータはフレーム構成の周期とタイプを含み、前記フレーム構成パラメータは共通フレーム構成パラメータ、第１の専用フレーム構成パラメータ、第２の専用フレーム構成パラメータを含む、設定モジュールを含み、
前記共通フレーム構成パラメータと第１の専用フレーム構成パラメータとは、フレーム構成のアップリンク／ダウンリンク分割状況を取得するために用いられ、前記第２の専用フレーム構成パラメータは、ｂａｃｋｈａｕｌリンクのアップリンク伝送用のフレーム構成及びｂａｃｋｈａｕｌリンクのダウンリンク伝送用のフレーム構成を決定するために用いられる、フレーム構成の設定装置。
【請求項２３】
前記フレーム構成の周期は、スロット持続時間の整数倍であり、
前記フレーム構成のタイプは、アップリンクＵＬフレーム構成、ダウンリンクＤＬフレーム構成、Ｆｌｅｘｉｂｌｅフレーム構成を含む、請求項２２に記載の装置。
【請求項２４】
前記第２の専用フレーム構成パラメータ中のフレーム構成のタイプは、アップリンクｂａｃｋｈａｕｌフレーム構成、ダウンリンクｂａｃｋｈａｕｌフレーム構成のうちの少なくとも１つを含む、請求項２３に記載の装置。
【請求項２５】
実行されると、請求項１〜１１のいずれか１項に記載の方法が実行されるように構成されているコンピュータプログラムが記憶されている記憶媒体。
【請求項２６】
実行されると、請求項１２〜１４のいずれか１項に記載の方法が実行されるように構成されているコンピュータプログラムが記憶されている記憶媒体。
【発明の詳細な説明】
【技術分野】
【０００１】
本開示は、通信の分野に関する。
【背景技術】
【０００２】
将来のネットワークデプロイメントの潜在的な技術の１つは、無線バックホール（Ｗｉｒｅｌｅｓｓ  Ｂａｃｋｈａｕｌ）をサポートすることにより、割合に応じて伝送ネットワークのデプロイメントを行うことなく、ＮＲ（Ｎｅｗ  Ｒａｄｉｏ、新たな無線技術）セル（ｃｅｌｌ）の柔軟かつ稠密なデプロイメントを実現することである。ＬＴＥ（Ｌｏｎｇ  Ｔｅｒｍ  Ｅｖｏｌｕｔｉｏｎ、ロングタームエボリューション）に比べて、ＮＲセルは、より広い帯域幅を期待でき、かつｍａｓｓｉｖｅ  ＭＩＭＯ（ｍａｓｓｉｖｅ  Ｍｕｌｔｉｐｌｅ  Ｉｎｐｕｔ  Ｍｕｌｔｉｐｌｅ  Ｏｕｔｐｕｔ、大規模多入力多出力）又はマルチビームシステムのデプロイメントを行うことができる。
【０００３】
このように、ＮＲネットワークにおいて、ａｃｃｅｓｓ  ｌｉｎｋ（アクセスリンク）の制御及びトラフィックチャネルに基づいてＩＡＢ（Ｉｎｔｅｇｒａｔｅｄ  Ａｃｃｅｓｓ  Ｂａｃｋｈａｕｌ、統合アクセスバックホール）を統合方式で配置して稠密なネットワークデプロイメントを簡略化する可能性がある。
【０００４】
関連技術のＩＡＢネットワークにおいて、フレーム構成の設定により、ノード間の干渉が発生し、データの送信及び受信の動作が同時に行うことができないなどの問題が存在している。
【発明の概要】
【０００５】
本開示の実施形態は、フレーム構成の設定方法と装置、記憶媒体を提供する。
【０００６】
本開示の一態様によれば、第１のノードが、第２のノードによって設定されたフレーム構成パラメータを受信するステップであって、前記フレーム構成パラメータがフレーム構成の周期とタイプを含み、前記フレーム構成パラメータが共通フレーム構成パラメータ、第１の専用フレーム構成パラメータ、第２の専用フレーム構成パラメータを含む、ステップと、前記第１のノードが、前記共通フレーム構成パラメータ及び第１の専用フレーム構成パラメータに基づいてフレーム構成のアップリンク／ダウンリンク分割状況を取得し、前記第２の専用フレーム構成パラメータに基づいてバックホールｂａｃｋｈａｕｌリンクのアップリンク伝送用のフレーム構成及びｂａｃｋｈａｕｌリンクのダウンリンク伝送用のフレーム構成を決定するステップと、を含むフレーム構成の設定方法を提供する。
【０００７】
本開示の別の態様によれば、第２のノードが、第１のノードに対してフレーム構成パラメータを設定するステップであって、前記フレーム構成パラメータがフレーム構成の周期とタイプを含み、前記フレーム構成パラメータが共通フレーム構成パラメータ、第１の専用フレーム構成パラメータ、第２の専用フレーム構成パラメータを含む、ステップを含み、前記共通フレーム構成パラメータと第１の専用フレーム構成パラメータとは、フレーム構成のアップリンク／ダウンリンク分割状況を取得するために用いられ、前記第２の専用フレーム構成パラメータは、ｂａｃｋｈａｕｌリンクのアップリンク伝送用のフレーム構成及びｂａｃｋｈａｕｌリンクのダウンリンク伝送用のフレーム構成を決定するために用いられる、フレーム構成の設定方法を提供する。
【０００８】
本開示の更なる態様によれば、第１のノード側に適用され、受信モジュールと処理モジュールとを含むフレーム構成の設定装置を提供する。
【０００９】
前記受信モジュールは、第２のノードによって設定されたフレーム構成パラメータを受信するように構成され、前記フレーム構成パラメータが、フレーム構成の周期とタイプを含み、前記フレーム構成パラメータが、共通フレーム構成パラメータ、第１の専用フレーム構成パラメータ、第２の専用フレーム構成パラメータを含む。前記処理モジュールは、前記共通フレーム構成パラメータ及び第１の専用フレーム構成パラメータに基づいてフレーム構成のアップリンク／ダウンリンク分割状況を取得し、前記第２の専用フレーム構成パラメータに基づいてｂａｃｋｈａｕｌリンクのアップリンク伝送用のフレーム構成及びｂａｃｋｈａｕｌリンクのダウンリンク伝送用のフレーム構成を決定するように構成される。
【００１０】
本開示の更なる態様によれば、第２のノード側に適用され、設定モジュールを含むフレーム構成の設定装置を提供する。前記設定モジュールは、第１のノードに対してフレーム構成パラメータを設定するように構成され、前記フレーム構成パラメータが、フレーム構成の周期とタイプを含み、前記フレーム構成パラメータが、共通フレーム構成パラメータ、第１の専用フレーム構成パラメータ、第２の専用フレーム構成パラメータを含み、前記共通フレーム構成パラメータと第１の専用フレーム構成パラメータとは、フレーム構成のアップリンク／ダウンリンク分割状況を取得するために用いられ、前記第２の専用フレーム構成パラメータは、ｂａｃｋｈａｕｌリンクのアップリンク伝送用のフレーム構成及びｂａｃｋｈａｕｌリンクのダウンリンク伝送用のフレーム構成を決定するために用いられる。
【００１１】
本開示の更なる実施形態によれば、実行されると、上記いずれか１つの方法の実施形態におけるステップが実行されるように構成されるコンピュータプログラムが記憶されている記憶媒体を更に提供する。
【００１２】
本開示の更なる実施形態によれば、実行されると、上記いずれか１つの方法の実施形態におけるステップが実行されるように構成されるコンピュータプログラムが記憶されている記憶媒体を更に提供する。
【図面の簡単な説明】
【００１３】
ここで説明された図面は、本開示を更に理解するためのものであり、本願の一部を設定するものであり、本開示の例示的な実施形態及びそれらの説明は、本開示を理解するためのものであるが、本開示を不当に限定するものではない。
【図１】関連技術におけるＩＡＢネットワーク内の各ノードの関係及びリンクの概略図である。
【図２】関連技術におけるＩＡＢノードが時間領域、周波数領域又は空間領域においてａｃｃｅｓｓ  ｌｉｎｋ及びｂａｃｋｈａｕｌ  ｌｉｎｋの多重化を行うことができる概略図である。
【図３】関連技術における３ホップネットワークの時分割伝送の概略図である。
【図４】関連技術におけるＰａｒｅｎｔ  ｎｏｄｅ（親ノード）がＩＡＢ  ｎｏｄｅに対して送受信用の潜在的な時間領域リソースを設定する概略図である。
【図５】本開示の実施形態に係るフレーム構成の設定方法のフローチャートである。
【図６】本開示の実施形態に係るＤｏｎｏｒ  ｎｏｄｅ（ドナーノード）と各レベルのＩＡＢ  ｎｏｄｅのネットワークとのタイミング時刻のメンテナンスの概略図である。
【図７】本開示の実施形態に係るＰｏｔｅｎｔｉａｌ  ｃｏｎｆｉｇ  ｏｆ  ＵＥ  ｕｎｄｅｒ  ＩＡＢ（ＩＡＢ下の端末の潜在的な構成）の概略図１である。
【図８】本開示の実施形態に係るＰｏｔｅｎｔｉａｌ  ｃｏｎｆｉｇ  ｏｆ  ＩＡＢ  ｎｏｄｅ（ＩＡＢノードの潜在的な構成）の概略図２である。
【図９】本開示の実施形態に係る異なるフレーム構成パラメータの組み合わせの概略図１である。
【図１０】本開示の実施形態に係る異なるフレーム構成パラメータの組み合わせの概略図２である。
【図１１】本開示の実施形態に係るｂｉｔ−ｍａｐ（ビットマップ）の形式で第３のフレーム構成パラメータを通知する概略図である。
【図１２】本開示の実施形態に係るパワー調整の概略図である。
【図１３】本開示の実施形態に係るフレーム構成の設定装置の概略構成図である。
【発明を実施するための形態】
【００１４】
以下、図面を参照しながら実施形態を組み合わせて関連技術及び本開示を詳細に説明する。なお、本願における実施形態及び実施形態における特徴は、矛盾しない限り、互いに組み合わせることができる。
【００１５】
なお、本開示の明細書、特許請求の範囲及び上記図面における「第１」、「第２」などの用語は、類似する対象を区別するためのものであり、特定の順又は前後順を限定するものではない。
【００１６】
図１は、関連技術におけるＩＡＢネットワーク内の各ノードの関係及びリンクの概略図であり、図１に示すように、上から下への３つのノードは、それぞれＰａｒｅｎｔ  Ｎｏｄｅ（親ノード）、ＩＡＢ−Ｎｏｄｅ（ＩＡＢノード）及びＣｈｉｌｄ  Ｎｏｄｅ（子ノード）と呼ばれる。ＩＡＢ−Ｎｏｄｅは、参照とする現在ノードであり、その上位ノードがＰａｒｅｎｔ  Ｎｏｄｅである。
【００１７】
現在のＩＡＢ−ＮｏｄｅとそのＰａｒｅｎｔ  Ｎｏｄｅとの間のリンクは、ｂａｃｋｈａｕｌ  ｌｉｎｋ（バックホールリンク）と呼ばれる。伝送方向により、ｂａｃｋｈａｕｌ  ｌｉｎｋは、更にｂａｃｋｈａｕｌ  ＤＬ（ダウンリンク）とｂａｃｋｈａｕｌ  ＵＬ（アップリンク）とに分けられ、現在のＩＡＢ−ＮｏｄｅとそのＣｈｉｌｄ  Ｎｏｄｅとの間のリンクは、ａｃｃｅｓｓ  ｌｉｎｋと呼ばれ、伝送方向により、ａｃｃｅｓｓ  ｌｉｎｋは、更にａｃｃｅｓｓ  ＤＬとａｃｃｅｓｓ  ＵＬとに分けられる。
【００１８】
リンクのタイプは、ノードの相対的な関係及び役割に基づいて判断される。図１のＣｈｉｌｄ  Ｎｏｄｅが一般的な端末の場合、それに対して、このリンクは一般的なａｃｃｅｓｓリンクであり、Ｃｈｉｌｄ  ＮｏｄｅがＩＡＢノードの場合、このＩＡＢノードから見ると、このリンクはｂａｃｋｈａｕｌ  ｌｉｎｋである。リンクは、更に子ノードに対するｂａｃｋｈａｕｌ  ｄｏｗｎｌｉｎｋ／ｕｐｌｉｎｋと、一般的なＵＥに対するａｃｃｅｓｓ  ｄｏｗｎｌｉｎｋ／ｕｐｌｉｎｋとに細分されてよい。
【００１９】
図２は、関連技術におけるＩＡＢノードが時間領域、周波数領域又は空間領域においてａｃｃｅｓｓ  ｌｉｎｋ及びｂａｃｋｈａｕｌ  ｌｉｎｋの多重化を行うことができる概略図であり、図２に示すように、ａｃｃｅｓｓ及びｂａｃｋｈａｕｌ  ｌｉｎｋは、同じ周波数（ｉｎ−ｂａｎｄ）又は異なる周波数（ｏｕｔ−ｂａｎｄ）であってもよく、ｏｕｔ−ｂａｎｄ中継への効果的なサポートは、あるＮＲデプロイメントシナリオに対して非常に重要であり、同時に、ｉｎ−ｂａｎｄにおける半二重干渉調整の理解に対して非常に重要である。
【００２０】
ＮＲ  Ｒ−１５システムにおいて上位層シグナリングにより端末に対してフレーム構成を設定する。既存のフレーム構成のタイプはＤＬ、ＵＬ及びＦ（Ｆｌｅｘｉｂｌｅ、柔軟）を含み、フレームの構成は、ｇＮＢ（Ｎｅｘｔ−ｇｅｎｅｒａｔｉｏｎ  ｎｏｄｅ−Ｂ、次世代ノードＢ）によって設定され、ｇＮＢはコアネットワークに直接接続され、ｇＮＢは、そのサービスしている端末に対してフレーム構成を自律的に設定する。
【００２１】
Ｒｅｌ−１６段階では、３ＧＰＰ会議は、ａｃｃｅｓｓ  ｌｉｎｋ及びｂａｃｋｈａｕｌ  ｌｉｎｋの効果的な多重化が討論されている。
【００２２】
ＩＡＢネットワークは、以下の特徴をサポートする必要がある：１）マルチホップ伝送をサポートする。２ホップ以上の伝送をサポートし、ＬＴＥ  ｒｅｌａｙネットワークにおいて２ホップ−ｂａｓｅ  ｓｔａｔｉｏｎ−ｒｅｌａｙ−ＵＥのみをサポートし、ＮＲ  ＩＡＢネットワークにおいてＩＡＢノードの次の階級はまたＩＡＢノードであってもよい。２）半二重伝送をサポートする。ＩＡＢネットワークにおいてＩＡＢノードが同時送受信を行うことができると仮定せず、例えば、ＴＤＤ複信（時分割複信）モードでＩＡＢノードは、送信と受信の動作を同時に行うことができないが、ａｃｃｅｓｓを排除しない。
【００２３】
ＩＡＢネットワークにおいて、フレーム構成の設定状態は、ＮＲのＲ-１５ネットワークに比べて更に要求がある。
【００２４】
下位ノードのフレーム構成の設定を行うときに、ＵＬ／ＤＬ／Ｆ以外の状態があり、例えば、ＩＡＢノードは、上位ノードのデータを受信すると同時に下位ノードにデータを送信せず、上位ノードにデータを送信すると同時に下位ノードの送信データを受信することもできず、２つの動作を同時に行うことができないという状態である。
【００２５】
図２のような方式は、マルチホップリンクをサポートするＩＡＢネットワークに対して効率が低い。図３は、関連技術における３ホップネットワークを例とする時分割伝送の概略図であり、図３に示すように、ＵＥの１回の伝送とフィードバックをサポートするために６つのスロットリソースが消費される。
【００２６】
また、時分割伝送ソリューションでは、多層中継ノードの伝送プロセスにおいて、ｂａｃｋｈａｕｌリンク及びａｃｃｅｓｓリンクが各階級のノードにおいて効果的なリソース割り当てを行うことをどのように確保するかについて明確になっていない。
【００２７】
図４は、関連技術におけるＰａｒｅｎｔ  ｎｏｄｅがＩＡＢ  ｎｏｄｅに対して送受信用の潜在的な時間領域リソースを設定する概略図であり、図４に示すように、Ｐａｒｅｎｔ  ｎｏｄｅは、ＩＡＢ  ｎｏｄｅに対して送受信用の潜在的な時間領域リソースを設定したが、ＩＡＢノードがどのように下位ノードの設定を行うかには、不確実な要素があり、例えば、Ｐａｒｅｎｔ  ｎｏｄｅがＩＡＢ  ｎｏｄｅに対してＦのリソースの使用方法を設定した場合、ＩＡＢ  ｎｏｄｅが任意に設定すれば、ノード間の干渉が発生する可能性がある。
【００２８】
以下、関連技術における上記問題に対して提供される本開示の各実施形態を詳細に説明する。
【００２９】
（実施形態１）
本実施形態はフレーム構成の設定方法を提供し、図５は、該実施形態に係るフレーム構成の設定方法のフローチャートであり、図５に示すように、該フローは、以下のステップＳ５０２及びＳ５０４を含む。
【００３０】
ステップＳ５０２では、第１のノードは第２のノードによって設定されたフレーム構成パラメータを受信し、フレーム構成パラメータが、フレーム構成の周期及びタイプを含み、フレーム構成パラメータが、共通フレーム構成パラメータ、第１の専用フレーム構成パラメータ、第２の専用フレーム構成パラメータを含む。
【００３１】
ステップＳ５０４では、第１のノードは共通フレーム構成パラメータ及び第１の専用フレーム構成パラメータに基づいてフレーム構成のアップリンク／ダウンリンク分割状況を取得し、かつ第２の専用フレーム構成パラメータに基づいてｂａｃｋｈａｕｌリンクのアップリンク伝送用のフレーム構成とｂａｃｋｈａｕｌリンクのダウンリンク伝送用のフレーム構成とを決定する。
【００３２】
本実施形態の上記ステップＳ５０２及びステップＳ５０４により、第１のノードが第２のノードによって設定された共通フレーム構成パラメータ及び第１の専用フレーム構成パラメータに基づいてフレーム構成のアップリンク／ダウンリンク分割状況を取得し、かつ第２の専用フレーム構成パラメータに基づいてｂａｃｋｈａｕｌリンクのアップリンク伝送用のフレーム構成とｂａｃｋｈａｕｌリンクのダウンリンク伝送用のフレーム構成とを決定することで、関連技術におけるフレーム構成の設定によるノード間の干渉を解決し、ＩＡＢネットワークにおけるデータ伝送効率を向上させる。
【００３３】
本実施形態では、第１のノードは、好ましくはＩＡＢ  ｎｏｄｅであり、第２のノードは、好ましくはＰａｒｅｎｔ  ｎｏｄｅ（該第１のノードのＰａｒｅｎｔ  ｎｏｄｅ）である。
【００３４】
なお、本実施形態に係るフレーム構成の周期は、スロット持続時間の整数倍であり、フレーム構成のタイプは、アップリンクＵＬフレーム構成、ダウンリンクＤＬフレーム構成、Ｆｌｅｘｉｂｌｅフレーム構成を含む。本実施形態に係る第２の専用フレーム構成パラメータ中のフレーム構成のタイプは、アップリンクｂａｃｋｈａｕｌフレーム構成、ダウンリンクｂａｃｋｈａｕｌフレーム構成のうちの少なくとも１つを含む。
【００３５】
本実施形態の別の好ましい実施態様では、フレーム構成パラメータは、更に、伝送方向（即ち、アップリンク又はダウンリンク）を含み、第１のノードの下位ノードが端末ではなく、前記第１のノードと同じタイプの伝送ノードである（即ち、ＩＡＢ  ｎｏｄｅの下位ノードが他のＩＡＢ  ｎｏｄｅである）場合、第２の専用フレーム構成パラメータの伝送方向は、共通フレーム構成パラメータ及び第１の専用フレーム構成パラメータの伝送方向を上書き（ｏｖｅｒｗｒｉｔｅ）するために用いられることができる。
【００３６】
これに基づいて、本実施形態の方法のステップは、更に、第１のノードがフレーム構成パラメータの組み合わせに基づいて、１周期内に最終的にアップリンク／ダウンリンクに用いられる伝送タイムユニットと、１周期内に最終的にｂａｃｋｈａｕｌアップリンク伝送又はｂａｃｋｈａｕｌダウンリンク受信に用いられる伝送タイムユニットと、１周期内に最終的に本ノード（即ち、第１のノード）がアップリンクタイムユニットをスケジューリングするための潜在的位置、又は１周期内に最終的に本ノードがダウンリンクタイムユニットをスケジューリングするための潜在的位置と、のうちの少なくとも１つを決定することを含む。
【００３７】
フレーム構成パラメータの組み合わせは、共通フレーム構成パラメータ、第１の専用フレーム構成パラメータ及び第２の専用フレーム構成パラメータと、共通フレーム構成パラメータ及び第２の専用フレーム構成パラメータと、第１の専用フレーム構成パラメータ及び第２の専用フレーム構成パラメータと、のうちの少なくとも１つを含む。
【００３８】
なお、第１のノードの下位ノードがユーザ端末ではなく第１のノードと同じタイプの伝送ノードであり、かつ第１のノードのｂａｃｋｈａｕｌリソースが下位の伝送ノードのｂａｃｋｈａｕｌリソースとオーバーラップするか又は部分的にオーバーラップする場合、第１のノードと下位の伝送ノードとの送受信状態が逆であり、送受信状態が逆であるとは、第１のノードがｂａｃｋｈａｕｌリソースで受信動作を実行するとき、下位の伝送ノードがオーバーラップするか又は部分的にオーバーラップする領域で送信動作を実行することを指す。
【００３９】
具体的な実施態様は、以下のとおりであってよい：ＩＡＢ  ｎｏｄｅの下位ノードがまたＩＡＢ  ｎｏｄｅであり、かつＩＡＢ  ｎｏｄｅのｂａｃｋｈａｕｌリソースが下位のＩＡＢ  ｎｏｄｅのｂａｃｋｈａｕｌリソースとオーバーラップするか又は部分的にオーバーラップすれば、ＩＡＢ  ｎｏｄｅと下位のＩＡＢ  ｎｏｄｅとの伝送方向が逆になり、即ち、ＩＡＢ  ｎｏｄｅがｂａｃｋｈａｕｌリソースで受信動作を実行するとともに、下位のＩＡＢ  ｎｏｄｅはオーバーラップするか又は部分的にオーバーラップする領域で送信動作を実行する。
【００４０】
第１のノードの下位ノードがユーザ端末ではなく第１のノードと同じタイプの伝送ノードであり、かつ第１のノードのｂａｃｋｈａｕｌリソースが下位の伝送ノードのｂａｃｋｈａｕｌリソースとオーバーラップしない場合、第１のノードと下位の伝送ノードとの送受信状態が逆又は同じである。つまり、具体的な実施態様では、ＩＡＢ  ｎｏｄｅの下位ノードがまたＩＡＢ  ｎｏｄｅであり、かつＩＡＢ  ｎｏｄｅと下位のＩＡＢ  ｎｏｄｅとのリソースがオーバーラップしなければ、ＩＡＢ  ｎｏｄｅと下位のＩＡＢ  ｎｏｄｅとの伝送方向が逆又は同じであってよい。
【００４１】
第１のノードの下位ノードがユーザ端末であれば、第１のノードが下位の伝送ノードに対して設定するフレーム構成は、それ自身のフレーム構成と一致し、つまり、本ノードのＵＬ領域は下位の端末ノードに対してＤＬとして設定されることができず、同様に、本ノードのＤＬ領域はＵＬとして設定されることもできない。
【００４２】
本実施形態の好ましい実施態様では、第２の専用フレーム構成パラメータは、共通フレーム構成パラメータと第１の専用フレーム構成パラメータとの組み合わせで形成され、及び／又は、第２のフレーム構成パラメータは動的シグナリングであり、該動的シグナリングは、ＤＣＩ（Ｄｏｗｎｌｉｎｋ  Ｃｏｎｔｒｏｌ  Ｉｎｆｏｒｍａｔｉｏｎ、ダウンリンク制御情報）によって搬送されるフレーム構成設定パラメータである。
【００４３】
好ましくは、本実施形態に係る共通フレーム構成パラメータは、二重周期又は単一周期である。
【００４４】
本実施形態の好ましい実施態様では、第１のノードは以下の方式（１）〜（４）のうちの少なくとも１つでフレーム構成を設定する。
【００４５】
方式（１）：第１のノードが共通フレーム構成パラメータ及び／又は第１の専用フレーム構成パラメータ及び／又は第２の専用フレーム構成パラメータに基づいて下位ノードのフレーム構成を自律的に設定する。
【００４６】
方式（２）：第１のノードが第１の専用フレーム構成パラメータ及び／又は動的フレーム構成パラメータに基づいて下位ノードのフレーム構成を自律的に設定し、動的フレーム構成パラメータがＰＤＣＣＨ（Ｐｈｙｓｉｃａｌ  Ｄｏｗｎｌｉｎｋ  Ｃｏｎｔｒｏｌ  Ｃｈａｎｎｅｌ、物理ダウンリンク制御チャネル）によって設定される。
【００４７】
方式（３）：第１のノードが共通フレーム構成パラメータ、第１の専用フレーム構成パラメータ及び動的フレーム構成パラメータに基づいてフレーム構成を設定し、設定されるフレーム構成が、アップリンクＵＬフレーム構成、ダウンリンクＤＬフレーム構成、フレキシブルフレーム構成、ｂａｃｋｈａｕｌ  ＵＬフレーム構成、ｂａｃｋｈａｕｌ  ＤＬフレーム構成、ｂａｃｋｈａｕｌ  ｍｕｌｔｉｐｌｅｘｉｎｇ（バックホール多重化）フレーム構成を含む。
【００４８】
方式（４）：第１のノードが上記共通フレーム構成パラメータ及び／又は第１の専用フレーム構成パラメータ及び／又は動的フレーム構成パラメータに基づいて下位ノードのフレーム構成を自律的に設定し、動的フレーム構成パラメータがＰＤＣＣＨによって設定される。
【００４９】
本実施形態の別の好ましい実施態様では、本実施形態に係るパワー調整は、更に以下の方式１と方式２を含んでよい。
【００５０】
方式１：第１のノードは、対応するダウンリンクｂａｃｋｈａｕｌ伝送リソースで第１のノードの上位ノードに所望のパワー調整を報告する。パワー調整は、対応する帯域幅の受信パワー調整値、対応する帯域幅の送信パワー調整値、対応する帯域幅の所望の受信パワー、対応する帯域幅の所望の送信パワー、のうちの１つを含み、対応する帯域幅は１つのリソースブロックＲＢの帯域幅である。
【００５１】
方式２：第１のノードは、ダウンリンクｂａｃｋｈａｕｌ伝送リソースに用いられるパワー調整を下位ノードに指示し、パワー調整の値は、対応する帯域幅の受信パワー調整値、対応する帯域幅の送信パワー調整値、対応する帯域幅の所望の受信パワー、対応する帯域幅の所望の送信パワー、のうちの１つを含み、或いは、パワー調整は、要求されたパワー調整値に基づいて調整するか否かを下位ノードに指示するように第１のノードに指示するために用いられ、対応する帯域幅は１つのリソースブロックＲＢの帯域幅である。
【００５２】
本実施形態の更なる好ましい実施態様では、本実施形態の方法ステップは、更にステップＳ５０６〜Ｓ５１０を含んでよい。
【００５３】
ステップＳ５０６では、第１のノードが上位ノードからのパワー調整指示を受信し、該パワー調整指示に従って、対応するリソースで第１のノードの下位ノードのアップリンク伝送を多重化する。
【００５４】
ステップＳ５０８では、第１のノードが上位ノードから送信されたｂａｃｋｈａｕｌデータを受信する。
【００５５】
ステップＳ５１０では、第１のノードが下位ノードをスケジューリングし、具体的には、第１のノードは、下位ノードのｂａｃｋｈａｕｌリソースとオーバーラップするか又は部分的にオーバーラップする領域において該下位ノードのアップリンクｂａｃｋｈａｕｌ伝送をスケジューリングする。
【００５６】
本実施形態の方法ステップを、第１のノード（ＩＡＢ  ｎｏｄｅ）側から説明したが、以下、第２のノード（Ｐａｒｅｎｔ  ｎｏｄｅ）側から説明する。なお、２つの説明方式は対応するものである。
【００５７】
第２のノード側において、本実施形態は、フレーム構成の設定方法を提供し、該方法のステップは、ステップＳ６０２を含み、ステップＳ６０２では、第１のノードが第２のノードに対してフレーム構成パラメータを設定し、フレーム構成パラメータが、フレーム構成の周期及びタイプを含み、フレーム構成パラメータが、共通フレーム構成パラメータ、第１の専用フレーム構成パラメータ、第２の専用フレーム構成パラメータを含み、共通フレーム構成パラメータと第１の専用フレーム構成パラメータとはフレーム構成のアップリンク／ダウンリンク分割状況を取得するためのものであり、第２の専用フレーム構成パラメータはｂａｃｋｈａｕｌリンクのアップリンク伝送用のフレーム構成、及びｂａｃｋｈａｕｌリンクのダウンリンク伝送用のフレーム構成を決定するためのものである。
【００５８】
好ましくは、フレーム構成の周期は、スロット持続時間の整数倍であり、フレーム構成のタイプは、アップリンクＵＬフレーム構成、ダウンリンクＤＬフレーム構成、Ｆｌｅｘｉｂｌｅフレーム構成を含む。第２の専用フレーム構成パラメータ中のフレーム構成のタイプは、アップリンクｂａｃｋｈａｕｌフレーム構成、ダウンリンクｂａｃｋｈａｕｌフレーム構成、Ｆｌｅｘｉｂｌｅフレーム構成のうちの少なくとも１つを含む。
【００５９】
以上の実施形態の説明から、当業者は、上記実施形態に係る方法を、ソフトウェアに必要な汎用のハードウェアプラットフォームを組み合わせる方式で実現できることを理解することができる。当然のことながら、ハードウェアによって実現することもできるが、多数の場合に前者のほうがより好適な実施形態である。このような理解に基づいて、本開示の技術手段の実質又は従来技術に貢献する部分は、ソフトウェア製品の形態で実現することができ、該コンピュータソフトウェア製品は記憶媒体（例えば、ＲＯＭ／ＲＡＭ、磁気ディスク、ＣＤ）に記憶され、端末装置（携帯電話、コンピュータ、サーバ又はネットワーク装置などであってよい）に本開示の各実施形態で説明した方法を実行させるいくつかの命令を含む。
【００６０】
以下、実施形態２〜５を参照して上記実施形態１を詳細に説明する。
【００６１】
（実施形態２）
本実施形態は、ＡＣＣＥＳＳ／ＢＡＣＫＨＡＵＬ時分割多重化及び周波数分割と空間分割多重化に関する。
【００６２】
また、本実施形態のトポロジは、図１に示すように、Ｐａｒｅｎｔ  Ｎｏｄｅ、ＩＡＢ  Ｎｏｄｅ及びＣｈｉｌｄ  Ｎｏｄｅを含み、Ｐａｒｅｎｔ  ＮｏｄｅはＩＡＢ  ＮｏｄｅのＰａｒｅｎｔ  Ｎｏｄｅである。ＩＡＢ  Ｎｏｄｅは無線リンクを介してＰａｒｅｎｔ  Ｎｏｄｅとの間でｂａｃｋｈａｕｌリンクデータを伝送し、Ｃｈｉｌｄ  ＮｏｄｅはＩＡＢ  Ｎｏｄｅの下位リンクであり、ＩＡＢ  Ｎｏｄｅは無線リンクを介してＣｈｉｌｄ  Ｎｏｄｅリンクへｂａｃｋｈａｕｌデータ又はａｃｃｅｓｓリンクデータを伝送し、ａｃｃｅｓｓリンクであるかｂａｃｋｈａｕｌリンクであるかは、Ｃｈｉｌｄ  Ｎｏｄｅのタイプに依存する。ＩＡＢ  ｎｏｄｅであれば、Ｐａｒｅｎｔ  ＮｏｄｅとＣｈｉｌｄ  Ｎｏｄｅとの送信データを同時に受信する。
【００６３】
図６は、本開示の実施形態に係るＤｏｎｏｒ  ｎｏｄｅ（ドナーノード）と各レベルのＩＡＢ  ｎｏｄｅのネットワークとのタイミング時刻のメンテナンスの概略図であり、図６に示すように、Ｄｏｎｏｒ  ｎｏｄｅと各レベルのＩＡＢ  ｎｏｄｅのネットワークとは、共通の絶対タイミング時刻（誤差範囲内）をメンテナンスし、このような統一タイミングは、ＯＴＡ（Ｏｖｅｒ  Ｔｈｅ  Ａｉｒ）又はＧＰＳ（Ｇｌｏｂａｌ  Ｐｏｓｉｔｉｏｎｉｎｇ  Ｓｙｓｔｅｍ）などのメカニズムによって実現することができる。これらのノードがＣｈｉｌｄ  Ｎｏｄｅにデータを送信すれば、このようなタイミング時刻を参照点としてデータ送信を行う必要があり、この参照点はダウンリンク送信時刻と呼ばれる。
【００６４】
Ｐａｒｅｎｔ  ｎｏｄｅは、共通フレーム構成パラメータを設定し、Ｐａｒｅｎｔ  ｎｏｄｅはＩＡＢ  ｎｏｄｅに第１の専用フレーム構成パラメータを設定し、Ｐａｒｅｎｔ  ｎｏｄｅは、ＩＡＢ  ｎｏｄｅに第２の専用フレーム構成パラメータを設定する。共通フレーム構成パラメータは、そのサービスするノードに対して同様に設定され、第１の専用フレーム構成パラメータは、更なるフレーム構成を示し、これらの位置がアップリンク伝送又はダウンリンク受信に用いられることを示す。１つのノードについて、そのフレーム構成のアップ・ダウンリンク設定状況は、基本的に特定されており、ＩＡＢについて、そのｂａｃｋｈａｕｌリンク伝送に専用のリソースは第２の専用フレーム構成パラメータによって設定される。
【００６５】
ＩＡＢ  ｎｏｄｅはＰａｒｅｎｔ  ｎｏｄｅによって設定された共通フレーム構成パラメータ及び第１の専用フレーム構成パラメータを取得し、ＩＡＢ  ｎｏｄｅはフレーム構成のアップ・ダウンリンクの分割状況を知り、ＩＡＢノードはＰａｒｅｎｔ  ｎｏｄｅによって設定された第２の専用フレーム構成パラメータを取得し、ＩＡＢ  ｎｏｄｅは、これらのアップ・ダウンリンク分割において、どれらがｂａｃｋｈａｕｌリンクのアップリンク伝送に用いられるか、どれらがｂａｃｋｈａｕｌリンクのダウンリンク受信に用いられるかを知り、つまり、端末によるｂａｃｋｈａｕｌリンクのデータの送受信は、第２の専用フレーム構成パラメータによって示された位置に応じてｂａｃｋｈａｕｌデータを送受信し、残りのアップリンク又はダウンリンクの位置でＩＡＢノード自身は下位ノードにフレーム構成パラメータの設定を行うことができる。
【００６６】
好ましくは、Ｐａｒｅｎｔ  ｎｏｄｅがＤｏｎｏｒ  ｎｏｄｅであれば、子ノードに設定した第１の専用フレーム構成パラメータのアップ・ダウンリンクレンジはＦｌｅｘｉｂｌｅレンジに拡張されることができる。Ｄｏｎｏｒ  ｎｏｄｅではないＰａｒｅｎｔ  ｎｏｄｅは、下位ノードに対してフレーム構成設定を行う場合、アップ・ダウンリンクの伝送は自身のアップ・ダウンリンク伝送方向に従うべきであり、つまり、下位ノードに対してアップ・ダウンリンク設定を行う場合、自身の伝送方向と逆の設定が許されない。例えば、現在のノードのＵＬ／Ｆ領域は下位ノードに対してＤＬとして設定されることができず、現在のノードのＤＬ／Ｆ領域はＵＬとして設定されることもできない。
【００６７】
設定された共通フレーム構成パラメータは、設定（フレーム構成）の周期とタイプを含み、周期は、スロット持続時間の整数倍であり、タイプは、ＵＬ、ＤＬ及びＦｌｅｘｉｂｌｅを含み、持続時間は、１つ又は複数のＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ、直交周波数分割多重）シンボルに対応する時間又はスロット持続時間の整数倍である。共通フレーム構成パラメータは、カバーした端末のＩＡＢ  ｎｏｄｅにブロードキャスト伝送により通知され、好ましくは、ＳＩＢ（Ｓｙｓｔｅｍ  ｉｎｆｏｒｍａｔｉｏｎ  ｂｌｏｃｋ、システム情報ブロック）の形式で搬送される。
【００６８】
或いは、共通フレーム構成パラメータは、約束された方式でアップ・ダウンリンク分割が行われ、例えば、周期がＰ＿ｕｌ＿ｄｌ＿ｄｅｆａｕｌｔのアップ・ダウンリンク設定は最も基礎的なアップ・ダウンリンク設定として約束され、偶数フレームからの最初のｎＳｌｏｔ＿ＤＬ個のｓｌｏｔ（スロット）はｄｏｗｎｌｉｎｋであり、ここで、周期Ｐ＿ｕｌ＿ｄｌ＿ｄｅｆａｕｌｔは無線フレームの整数倍であることが好ましく、好ましい周期は２０ｍｓ、４０ｍｓ及び８０ｍｓであり、周期Ｐ＿ｕｌ＿ｄｌ＿ｄｅｆａｕｌｔ内の最後のｎＳｌｏｔ＿ＵＬ個のスロットはｕｐｌｉｎｋであり、残りの位置はＦｌｅｘｉｂｌｅである。
【００６９】
つまり、このとき、現在のノードはＦｌｅｘｉｂｌｅによって示された位置について如何なる仮定を行うこともできず、後続の更なる半静的構成（ｓｅｍｉ―ｓｔａｔｉｃ  ｃｏｎｆｉｇｕｒａｔｉｏｎ）に基づいてその伝送方向を決定し、或いは、これらの位置は予備リソースであり、即ち、これらのリソースについて、最後に如何なる送受信動作の仮定を行うこともできない。
【００７０】
また、本実施形態では、約束されたスロット数を具体的なｎｕｍｅｒｏｌｏｇｙ（パラメータセット）と関係づけることができ、例えば、システムの参照ｎｕｍｅｒｏｌｏｇｙがｕＲｅｆであり、現在のｎｕｍｅｒｏｌｏｇｙがｕＡｃｔであれば、実際にアップリンクとダウンリンク伝送に用いられるスロット数がｎＳｌｏｔ＊２＾（ｕＡｃｔ−ｕＲｅｆ）に調整される。
【００７１】
設定された第１の専用フレーム構成パラメータは、設定の周期とタイプ（即ち、フレーム構成の周期とタイプ）を含み、周期は、スロット持続時間の整数倍であり、タイプは、ＵＬ、ＤＬ及びＦｌｅｘｉｂｌｅを含み、持続時間は、１つ又は複数のＯＦＤＭシンボルに対応する時間又はスロット持続時間の整数倍である。第１の専用フレーム構成パラメータは、上位層シグナリングにより伝送され、ＩＡＢ  ｎｏｄｅは、そのサービスする下位のＩＡＢ  ｎｏｄｅ又は端末に対してそれぞれの第１の専用設定パラメータ（第１の専用フレーム構成パラメータ）を設定する。実際のプロセスにおいて、第１の専用設定パラメータを省略することができ、このとき、ＩＡＢ  ｎｏｄｅと端末とは、共通フレーム構成パラメータのみに基づいてアップ・ダウンリンク分割を理解する。共通フレーム構成パラメータも欠落していれば、上記デフォルトの方式でアップ・ダウンリンクの分割状況を理解する。
【００７２】
設定された第２の専用フレーム構成パラメータは、設定の周期とタイプを含み、周期は、スロット持続時間の整数倍であり、タイプは、ＵＬ、ＤＬ及びＦｌｅｘｉｂｌｅを含み、持続時間は、１つ又は複数のＯＦＤＭシンボルに対応する時間又はスロット持続時間の整数倍である。第２のフレーム構成は、専用シグナリングにより設定され、ＩＡＢに対してｂａｃｋｈａｕｌ専用の送受信伝送を設定するために用いられる。
【００７３】
更に、第２の専用フレーム構成パラメータ中のフレーム構成のタイプは、ｄｏｗｎｌｉｎｋ  ｂａｃｋｈａｕｌ（ダウンリンクバックホール）、Ｆｌｅｘｉｂｌｅ及びｕｐｌｉｎｋ  ｂａｃｋｈａｕｌ（アップリンクバックホール）に限定されることができる。そして、第２の専用フレーム構成パラメータの伝送方向は、共通と第１の専用フレーム構成パラメータの伝送方向を上書きすることができる。これにより、ＩＡＢ  ｎｏｄｅの最終的なフレーム構成が特定される。
【００７４】
ＩＡＢ  ｎｏｄｅは、上述したＰａｒｅｎｔ  ｎｏｄｅのフレーム構成設定に基づいて、以下の（１）〜（３）を決定する。
【００７５】
（１）１周期内に最終的にアップ・ダウンリンクに用いられる伝送タイムユニット、例えば、１つ又は複数のスロット又は１つ又は複数のＯＦＤＭシンボルの持続時間、又は整数のスロットに１つ又は複数のＯＦＤＭシンボルをプラスした持続時間。
【００７６】
（２）１周期内に最終的にｂａｃｋｈａｕｌアップリンク伝送又はｂａｃｋｈａｕｌダウンリンク受信に用いられる伝送タイムユニット、例えば、１つ又は複数のスロット又は１つ又は複数のＯＦＤＭシンボルの持続時間、又は整数のスロットに１つ又は複数のＯＦＤＭシンボルをプラスした持続時間。
【００７７】
（３）１周期内に最終的に本ノードがアップリンクタイムユニットをスケジューリングするための潜在的位置、例えば、アップリンクタイムユニット内のアップリンクｂａｃｋｈａｕｌ受信用のタイムユニット以外の位置。図６中のＰｏｔｅｎｔｉａｌ  ｃｏｎｆｉｇ１  ｏｆ  ＵＥ  ｕｎｄｅｒ  ＩＡＢ（ＩＡＢ下のＵＥの潜在的な設定１）に示されるように、本ノードがダウンリンクタイムユニットをスケジューリングするための潜在的位置は、アップリンクタイムユニット内のダウンリンクｂａｃｋｈａｕｌ送信用のタイムユニット以外の位置である。
【００７８】
或いは、１周期内に最終的に本ノードがアップリンクタイムユニットをスケジューリングするための潜在的位置、例えば、ダウンリンクタイムユニット内のダウンリンクｂａｃｋｈａｕｌ受信用のタイムユニットの位置。本ノードがダウンリンクタイムユニットをスケジューリングするための潜在的位置は、アップリンクタイムユニット内のアップリンクｂａｃｋｈａｕｌ送信用のタイムユニットの位置である。図７は、本開示の実施形態に係るＰｏｔｅｎｔｉａｌ  ｃｏｎｆｉｇ  ｏｆ  ＵＥ  ｕｎｄｅｒ  ＩＡＢの概略図である。
【００７９】
ＩＡＢ  ｎｏｄｅの下位ノードが依然としてＩＡＢ  ｎｏｄｅ（ＩＡＢ  ｎｏｄｅ２と表記される）であれば、ＩＡＢ  ｎｏｄｅは、依然として上記プロセスに従って、それに対して、共通フレーム構成パラメータ、第１の専用フレーム構成パラメータのうちの１つ以上、又は、デフォルトの共通フレーム構成パラメータを設定する必要があり、ＩＡＢ  ｎｏｄｅは、更にＩＡＢ  ｎｏｄｅ２に対して第２の専用フレーム構成パラメータを設定する。図７のＰｏｔｅｎｔｉａｌ  ｃｏｎｆｉｇ１に示されるように、ＩＡＢ  ｎｏｄｅは、その自身のダウンリンク領域においてＩＡＢ  ｎｏｄｅ２に対してＤＢ（ｄｏｗｎｌｉｎｋ  ｂａｃｋｈａｕｌ）を設定し、ＩＡＢ  ｎｏｄｅは、その自身のアップリンク領域においてＩＡＢ  ｎｏｄｅ２に対してＵＢ（ｕｐｌｉｎｋ  ｂａｃｋｈａｕｌ）を設定する。
【００８０】
更に、図７のＰｏｔｅｎｔｉａｌ  ｃｏｎｆｉｇ２に示されるように、ＩＡＢ  ｎｏｄｅがＩＡＢ  ｎｏｄｅ２に対して設定したＵＢがＩＡＢ  ｎｏｄｅのフレーム構成のＤｏｗｎｌｉｎｋ領域内に位置し、かつＤＢが対応するＩＡＢ  ｎｏｄｅのフレーム構成のＵｐｌｉｎｋ領域内に位置することにより、１つのノードが上位ノードと下位ノードとから送信されたデータを同時に受信すること、又は、１つのノードが上位ノードと下位ノードとにデータを同時に送信することを実現する。
【００８１】
上位ノードに対する送信タイミングと下位ノードに対する送信タイミングとの間に差があるため、２つの送信動作は同時に行われることができない。ＩＡＢ  ｎｏｄｅは、ＩＡＢ  ｎｏｄｅ２に対してダウンリンクｂａｃｋｈａｕｌをＩＡＢ  ｎｏｄｅのフレーム構成のダウンリンク領域にあるように設定すると共に、アップリンクｂａｃｋｈａｕｌをもＩＡＢ  ｎｏｄｅのフレーム構成のダウンリンク領域に設定してもよく、それにより、同一のノードが上位ノードと下位ノードとから送信されたデータを同時に受信することを実現することができる。図８は、本開示の実施形態に係るＰｏｔｅｎｔｉａｌ  ｃｏｎｆｉｇ  ｏｆ  ＩＡＢ  ｎｏｄｅの概略図２である。
【００８２】
上記のフレーム構成の設定に用いられる共通フレーム構成パラメータと第１の専用フレーム構成パラメータとは、伝送方向の不一致がなく、例えば、共通フレーム構成パラメータにおいてダウンリンクとして設定された領域は第１の専用フレーム構成パラメータにおいてアップリンクとして設定されることができず、同様に、共通フレーム構成パラメータにおいてアップリンクとして設定された領域は第１の専用フレーム構成パラメータにおいてダウンリンクとして設定されることができない。
【００８３】
（実施形態３）
本実施形態では、新しいフレーム設定シグナリングを導入することなく、既存のシグナリングを用いてアップ・ダウンリンク共通と専用設定（フレーム構成設定）を行い、本実施形態のトポロジは、図１に示すように、Ｐａｒｅｎｔ  Ｎｏｄｅ、ＩＡＢ  Ｎｏｄｅ及びＣｈｉｌｄ  Ｎｏｄｅを含み、Ｐａｒｅｎｔ  ＮｏｄｅはＩＡＢ  ＮｏｄｅのＰａｒｅｎｔ  Ｎｏｄｅである。ＩＡＢ  Ｎｏｄｅは無線リンクを介してＰａｒｅｎｔ  Ｎｏｄｅとｂａｃｋｈａｕｌリンクデータを伝送し、Ｃｈｉｌｄ  ＮｏｄｅはＩＡＢ  Ｎｏｄｅの下位リンクであり、ＩＡＢ  Ｎｏｄｅは無線リンクを介してＣｈｉｌｄ  Ｎｏｄｅリンクへｂａｃｋｈａｕｌデータ又はａｃｃｅｓｓリンクデータを伝送し、ａｃｃｅｓｓリンクであるかｂａｃｋｈａｕｌリンクであるかは、Ｃｈｉｌｄ  Ｎｏｄｅのタイプに依存する。ＩＡＢ  ｎｏｄｅであれば、Ｐａｒｅｎｔ  ＮｏｄｅとＣｈｉｌｄ  Ｎｏｄｅとの送信データを同時に受信する。
【００８４】
図６に示すように、Ｄｏｎｏｒ  ｎｏｄｅと各レベルのＩＡＢ  ｎｏｄｅのネットワークとは、共通の絶対タイミング時刻（誤差範囲内）をメンテナンスし、このような統一タイミングは、ＯＴＡ又はＧＰＳなどのメカニズムによって実現することができる。これらのノードがＣｈｉｌｄ  Ｎｏｄｅにデータを送信すれば、このようなタイミング時刻を参照点としてデータ送信を行う必要があり、この参照点はダウンリンク送信時刻と呼ばれる。
【００８５】
Ｐａｒｅｎｔ  ｎｏｄｅは、共通フレーム構成パラメータを設定し、Ｐａｒｅｎｔ  ｎｏｄｅはＩＡＢ  ｎｏｄｅに第１の専用フレーム構成パラメータを設定し、Ｐａｒｅｎｔ  ｎｏｄｅは、ＩＡＢ  ｎｏｄｅに第２の専用フレーム構成パラメータを設定する。共通フレーム構成パラメータは、そのサービスするノードに対して同様に設定され、第１の専用フレーム構成パラメータは、更なるフレーム構成を示し、これらの位置がアップリンク伝送又はダウンリンク受信に用いられることを示す。１つのノードについて、そのフレーム構成のアップ・ダウンリンクの基本的な設定状況は、共通フレーム構成パラメータ及び第１の専用フレーム構成パラメータに基づいて設定され、ＩＡＢについて、そのｂａｃｋｈａｕｌリンク伝送に専用のリソースは、第２の専用フレーム構成パラメータと上記共通フレーム構成パラメータ及び／又は第１の専用フレーム構成パラメータとの組み合わせによりその最終の設定が特定される。
【００８６】
設定された共通フレーム構成パラメータは、設定の周期とタイプを含み、周期は、スロット持続時間の整数倍であり、タイプは、ＵＬ、ＤＬ及びＦｌｅｘｉｂｌｅを含み、持続時間は、１つ又は複数のＯＦＤＭシンボルに対応する時間又はスロット持続時間の整数倍である。
【００８７】
共通フレーム構成パラメータは、カバーした端末のＩＡＢ  ｎｏｄｅにブロードキャスト伝送により通知され、好ましくは、ＳＩＢの形式で搬送される。或いは、共通フレーム構成パラメータは、約束された方式でアップ・ダウンリンク分割が行われ、例えば、周期がＰ＿ｕｌ＿ｄｌ＿ｄｅｆａｕｌｔのアップ・ダウンリンク設定は最も基礎的なアップ・ダウンリンク設定として約束され、偶数フレームからの最初のｎＳｌｏｔ＿ＤＬ個のｓｌｏｔはｄｏｗｎｌｉｎｋであり、ここで、周期Ｐ＿ｕｌ＿ｄｌ＿ｄｅｆａｕｌｔは無線フレームの整数倍であることが好ましく、好ましい周期は２０ｍｓ、４０ｍｓ及び８０ｍｓであり、周期Ｐ＿ｕｌ＿ｄｌ＿ｄｅｆａｕｌｔ内の最後のｎＳｌｏｔ＿ＵＬ個のスロットはｕｐｌｉｎｋであり、残りの位置はＦｌｅｘｉｂｌｅである。
【００８８】
つまり、このとき、現在のノードはＦｌｅｘｉｂｌｅによって示された位置について如何なる仮定を行うこともできず、後続の更なる半静的構成に基づいてその伝送方向を決定し、或いは、これらの位置は予備リソースであり、即ち、これらのリソースについて、最後に如何なる送受信動作の仮定を行うこともできない。
【００８９】
また、約束されたスロット数を具体的なｎｕｍｅｒｏｌｏｇｙと関係づけることができ、例えば、システムの参照ｎｕｍｅｒｏｌｏｇｙがｕＲｅｆであり、現在のｎｕｍｅｒｏｌｏｇｙがｕＡｃｔであれば、実際にアップリンクとダウンリンク伝送に用いられるスロット数がｎＳｌｏｔ＊２＾（ｕＡｃｔ−ｕＲｅｆ）に調整される。
【００９０】
設定された第１の専用フレーム構成パラメータは、設定の周期とタイプを含み、周期は、スロット持続時間の整数倍であり、タイプは、ＵＬ、ＤＬ及びＦｌｅｘｉｂｌｅを含み、持続時間は、１つ又は複数のＯＦＤＭシンボルに対応する時間又はスロット持続時間の整数倍である。第１の専用フレーム構成パラメータは、上位層シグナリングにより伝送され、ＩＡＢ  ｎｏｄｅは、そのサービスする下位のＩＡＢ  ｎｏｄｅ又は端末に対してそれぞれの第１の専用設定パラメータを設定する。実際のプロセスにおいて、第１の専用フレーム構成パラメータを省略することができ、このとき、ＩＡＢ  ｎｏｄｅと端末とは、共通フレーム構成パラメータのみに基づいてアップ・ダウンリンク分割を理解する。共通フレーム構成パラメータも欠落していれば、上記デフォルトの方式でアップ・ダウンリンクの分割状況を理解する。
【００９１】
設定された第２の専用フレーム構成パラメータは、設定の周期とタイプを含み、周期は、スロット持続時間の整数倍であり、タイプは、ＵＬ、ＤＬ及びＦｌｅｘｉｂｌｅを含み、持続時間は、１つ又は複数のＯＦＤＭシンボルに対応する時間又はスロット持続時間の整数倍である。第２の専用フレーム構成パラメータは、専用シグナリングにより設定され、ＩＡＢに対してｂａｃｋｈａｕｌ専用の送受信伝送を設定するために用いられる。
【００９２】
更に、第２の専用フレーム構成パラメータの設定のタイプは、ｄｏｗｎｌｉｎｋ  ｂａｃｋｈａｕｌ、Ｆｌｅｘｉｂｌｅ及びｕｐｌｉｎｋ  ｂａｃｋｈａｕｌに限定されることができる。そして、第２の専用設定（第２の専用フレーム構成パラメータ）の伝送方向は、共通と第１の専用設定（共通フレーム構成パラメータ及び第１の専用フレーム構成パラメータ）の伝送方向を上書きすることができる。これにより、ＩＡＢ  ｎｏｄｅの最終的なフレーム構成が特定される。
【００９３】
ＩＡＢ  ｎｏｄｅはＰａｒｅｎｔ  ｎｏｄｅによって設定された共通フレーム構成パラメータ及び第１の専用フレーム構成パラメータを取得し、ＩＡＢ  ｎｏｄｅはフレーム構成のアップ・ダウンリンクの分割状況を知り、ＩＡＢノードはＰａｒｅｎｔ  ｎｏｄｅによって設定された第２の専用フレーム構成パラメータを取得し、ＩＡＢ  ｎｏｄｅは、フレーム構成パラメータの組み合わせに基づいて、ａｃｃｅｓｓリンクに用いられるアップリンク／ダウンリンク伝送領域、ｂａｃｋｈａｕｌリンクに用いられるアップリンク／ダウンリンク伝送領域、ｂａｃｋｈａｕｌ／ａｃｃｅｓｓリンク多重化に用いられるアップリンク／ダウンリンク伝送領域、Ｆｌｅｘｉｂｌｅ領域を知る。
【００９４】
ここで、フレーム構成パラメータの組み合わせは、共通フレーム構成パラメータ及び第１の専用フレーム構成パラメータと、共通フレーム構成パラメータ、第１の専用フレーム構成パラメータ及び第２の専用フレーム構成パラメータと、共通フレーム構成パラメータ及び第２の専用フレーム構成パラメータと、のうちの少なくとも１つを含む。
【００９５】
ＩＡＢ  ｎｏｄｅは、これらのアップ・ダウンリンク分割において、どれらがｂａｃｋｈａｕｌリンクのアップリンク伝送に用いられるか、どれらがｂａｃｋｈａｕｌリンクのダウンリンク受信に用いられるかを知り、つまり、ＩＡＢ  ｎｏｄｅによるｂａｃｋｈａｕｌリンクのデータの送受信は、フレーム構成パラメータの組み合わせによって示された位置に応じてｂａｃｋｈａｕｌデータを送受信し、ａｃｃｅｓｓ領域においてＩＡＢ  ｎｏｄｅはそのダウンリンクノードを自律的にスケジューリングする。ここでのフレーム構成パラメータの組み合わせは、ＩＡＢ  ｎｏｄｅを対象とするものであり、一般的なＮＲ端末であれば、元の方式でフレーム構成設定を理解する。
【００９６】
好ましくは、Ｐａｒｅｎｔ  ｎｏｄｅがＤｏｎｏｒ  ｎｏｄｅであれば、子ノードに設定した第１のフレーム構成パラメータのアップ・ダウンリンクレンジはＦｌｅｘｉｂｌｅレンジに拡張されることができる。Ｄｏｎｏｒ  ｎｏｄｅではないＰａｒｅｎｔ  ｎｏｄｅは、下位ノードに対してフレーム構成設定を行う場合、アップ・ダウンリンクの伝送は自身のアップ・ダウンリンク伝送方向に従うべきであり、つまり、下位ノードに対してアップ・ダウンリンク設定を行う場合、自身の伝送方向と逆の設定が許されない。例えば、現在のノードのＵＬ／Ｆ領域は下位ノードに対してＤＬとして設定されることができず、現在のノードのＤＬ／Ｆ領域はＵＬとして設定されることもできない。
【００９７】
図９は、本開示の実施形態に係る異なるフレーム構成パラメータの組み合わせの概略図１であり、図９に示すように、このような設定組み合わせにおいて、Ｐａｒｅｎｔ  ｎｏｄｅはＩＡＢ  ｎｏｄｅに対して共通フレーム構成パラメータ及び第１の専用フレーム構成パラメータを設定し、共通フレーム構成パラメータにおいてＦｌｅｘｉｂｌｅとして設定された領域は、第１のフレーム構成によってＤＬ／ＵＬ／Ｆ／−として再設定され、ここで、「−」が、対応する領域に更なる設定を行っていないことを示す。
【００９８】
Ｆｌｅｘｉｂｌｅ領域として設定された重複領域が第１の専用フレーム構成設定パラメータによってＤＬとして再設定されれば、ＩＡＢ  ｎｏｄｅは、この再定義された重複領域がｂａｃｋｈａｕｌ  ｌｉｎｋとａｃｃｅｓｓ  ｌｉｎｋとの多重化された受信領域であると理解し、つまり、この領域において、ｂａｃｋｈａｕｌ  ｌｉｎｋの受信又はａｃｃｅｓｓ  ｌｉｎｋの受信が行われるか、又は２つのｌｉｎｋの受信動作が同時に行われることができる。
【００９９】
Ｆｌｅｘｉｂｌｅ領域として設定された重複領域が第１の専用フレーム構成パラメータによってＵＬとして再設定されれば、ＩＡＢ  ｎｏｄｅは、この再定義された重複領域がｂａｃｋｈａｕｌ  ｌｉｎｋとａｃｃｅｓｓ  ｌｉｎｋとの多重化された受信領域であると理解し、つまり、この領域において、ｂａｃｋｈａｕｌ  ｌｉｎｋのアップリンク送信又はａｃｃｅｓｓ  ｌｉｎｋのダウンリンク送信が行われることができ、或いは、２つのｌｉｎｋの送信動作が同時に行われることができる。
【０１００】
送信タイミングが限定されているため、ｂａｃｋｈａｕｌ  ｌｉｎｋのアップリンク送信とａｃｃｅｓｓ  ｌｉｎｋのダウンリンク送信とを同時に行うことを確保できない可能性があり、ここで、同時送信は、ｂａｃｋｈａｕｌ  ｌｉｎｋのアップリンク送信とａｃｃｅｓｓ  ｌｉｎｋのダウンリンク送信とのスロットが整合しているか、又はｂａｃｋｈａｕｌ  ｌｉｎｋのアップリンク送信とａｃｃｅｓｓ  ｌｉｎｋのダウンリンク送信とのスロットが整合していないが、２つのリンク間に１つ又は１つ又は複数のＯＦＤＭシンボルの持続時間の差があるというタイミング条件を満たす必要がある。
【０１０１】
Ｆｌｅｘｉｂｌｅ領域として設定された重複領域が第１の専用フレーム構成パラメータによってＦｌｅｘｉｂｌｅ／−として再設定されれば、ＩＡＢ  ｎｏｄｅは、この領域が現在のノードに分かっていないと理解し、現在のノードは、この領域が送信又は受信のどちらに用いられるかを仮定することができない。
【０１０２】
ＤＬ領域として設定された重複領域が第１の専用フレーム構成パラメータによって更に設定されていなければ、ＩＡＢ  ｎｏｄｅは、この領域がＩＡＢ  ｎｏｄｅのｂａｃｋｈａｕｌ  ｌｉｎｋのダウンリンク受信に専用であると理解する。
【０１０３】
ＵＬ領域として設定された重複領域が第１の専用フレーム構成パラメータによって更に設定されていなければ、ＩＡＢ  ｎｏｄｅは、この領域がＩＡＢ  ｎｏｄｅのｂａｃｋｈａｕｌ  ｌｉｎｋのアップリンク送信に専用であると理解する。
【０１０４】
上記異なるフレーム構成パラメータの組み合わせは、更に１つのタイムユニットに複数の伝送方向が含まれる場合に適用され、１つのタイムユニットの異なる領域が約束又は共通フレーム構成パラメータによりアップリンク及び／又はダウンリンク及び／又はＦｌｅｘｉｂｌｅとして示され、かつ第１の専用フレーム構成パラメータが同じタイムユニット又は異なるタイムユニットにアップリンク及び／又はダウンリンク及び／又はＦｌｅｘｉｂｌｅを示した場合、この重複する領域は、上記説明規則を用いて対応する領域にそれぞれ適用される。
【０１０５】
ここで、タイムユニットは、１つの無線フレームの持続時間と、１つの無線フレームの持続時間の整数倍と、１つのスロットの持続時間と、１つのスロットの持続時間の複数倍と、シンボルの数が好ましくは２、４、６、７である、１つ又は複数のシンボルの持続時間と、１つの無線フレームの持続時間の１つ又は複数の等分時間と、のうちの少なくとも１つである。
【０１０６】
図１０は、本開示の実施形態に係る異なるフレーム構成パラメータの組み合わせの概略図２であり、図１０に示すように、前の手段に比べて、ここでの第１の専用フレーム構成パラメータの設定はＤＬ／ＵＬの方向を再定義する。
【０１０７】
共通フレーム構成パラメータ又は約束された共通フレームパラメータによってＤＬ領域として設定された重複領域が第１の専用フレーム構成パラメータによってＤＬとして再設定されれば、ＩＡＢ  ｎｏｄｅは、この再定義された重複領域がｂａｃｋｈａｕｌ  ｌｉｎｋの受信領域であると理解し、つまり、この領域において、ｂａｃｋｈａｕｌ  ｌｉｎｋの受信が行われることができる。
【０１０８】
共通フレーム構成パラメータ又は約束された共通フレームパラメータによってＤＬ領域として設定された重複領域が第１の専用フレーム構成設定パラメータによって再定義されていなければ、ＩＡＢ  ｎｏｄｅは、この領域がａｃｃｅｓｓ  ｌｉｎｋのｄｏｗｎｌｉｎｋ伝送であると理解し、つまり、この領域においてＩＡＢノードが下位ノードへのデータ送信を行う。
【０１０９】
共通フレーム構成パラメータ又は約束された共通フレームパラメータによってＵＬ領域として設定された重複領域が第１の専用フレーム構成設定パラメータによってＵＬとして再設定されれば、ＩＡＢ  ｎｏｄｅは、この再定義された重複領域がｂａｃｋｈａｕｌ  ｌｉｎｋの送信領域であると理解し、つまり、この領域において、ｂａｃｋｈａｕｌ  ｌｉｎｋのデータ送信が行われることができる。
【０１１０】
共通フレーム構成パラメータ又は約束された共通フレームパラメータによってＵＬ領域として設定された重複領域が第１の専用フレーム構成設定パラメータによって再定義されていなければ、ＩＡＢ  ｎｏｄｅは、この領域がａｃｃｅｓｓ  ｌｉｎｋのｕｐｌｉｎｋ伝送であると理解し、つまり、この領域においてＩＡＢノードが下位ノードからデータを受信する。
【０１１１】
共通フレーム構成パラメータ又は約束された共通フレームパラメータによってＦ領域として設定された重複領域が第１の専用フレーム構成パラメータによって再定義されていないか又は第１の専用フレーム構成パラメータによってＦとして再定義されれば、ＩＡＢ  ｎｏｄｅは、この領域がｒｅｓｅｒｖｅｄ領域であると理解し、つまり、ＩＡＢノードはこの領域においてデータの送信又は受信を行うことができると仮定できない。
【０１１２】
ＩＡＢ  ｎｏｄｅは上述したＰａｒｅｎｔ  ｎｏｄｅのフレーム構成設定に基づいて、以下の（１）〜（６）のうちの少なくとも１つを決定する。
【０１１３】
（１）１周期内に最終的にアップ・ダウンリンクに用いられる伝送タイムユニット。
（２）１周期内に最終的にｂａｃｋｈａｕｌアップリンク伝送に用いられる伝送タイムユニット。
（３）１周期内に最終的にｂａｃｋｈａｕｌダウンリンク受信に用いられる伝送タイムユニット。
【０１１４】
（４）１周期内に最終的に本ノードがアップリンクタイムユニットをスケジューリングするための潜在的位置、例えば、第１の専用フレーム構成パラメータによってＵＬとして定義されるが、第２の専用フレーム構成パラメータによって追加して定義されていないタイムユニット；図１０のｆｉｎａｌ  ｕｎｄｅｒｓｔａｎｄｉｎｇ（最終的な理解）に示されるように、本ノードがダウンリンクタイムユニットをスケジューリングするための潜在的位置は、第１の専用フレーム構成パラメータによってＤＬとして定義されるが、第２の専用フレーム構成パラメータによって追加して定義されていないタイムユニット。
【０１１５】
（５）１周期内に最終的に本ノードがｂａｃｋｈａｕｌ  ｄｏｗｎｌｉｎｋ及び／又はａｃｃｅｓｓ  ｕｐｌｉｎｋを受信するためのタイムユニットの潜在的位置、例えば、第１の専用フレーム構成パラメータによってＦとして定義されるが、第２の専用フレーム構成パラメータによってＤＬとして追加して定義されるタイムユニット。
【０１１６】
（６）１周期内に最終的に本ノードがｂａｃｋｈａｕｌ  ｕｐｌｉｎｋ及び／又はａｃｃｅｓｓ  ｄｏｗｎｌｉｎｋを送信するためのタイムユニットの潜在的位置、例えば、第１の専用フレーム構成パラメータによってＦとして定義されるが、第２の専用フレーム構成パラメータによってＵＬとして追加して定義されるタイムユニット。上記タイムユニットは、１つ又は複数のスロット又は１つ又は複数のＯＦＤＭシンボルの持続時間、又は整数のスロットに１つ又は複数のＯＦＤＭシンボルをプラスした持続時間である。
【０１１７】
（実施形態４）
本実施形態のトポロジは、図１に示すように、Ｐａｒｅｎｔ  Ｎｏｄｅ、ＩＡＢ  Ｎｏｄｅ及びＣｈｉｌｄ  Ｎｏｄｅを含み、Ｐａｒｅｎｔ  ＮｏｄｅはＩＡＢ  ＮｏｄｅのＰａｒｅｎｔ  Ｎｏｄｅである。ＩＡＢ  Ｎｏｄｅは無線リンクを介してＰａｒｅｎｔ  Ｎｏｄｅとｂａｃｋｈａｕｌリンクデータを伝送し、Ｃｈｉｌｄ  ＮｏｄｅはＩＡＢ  Ｎｏｄｅの下位リンクであり、ＩＡＢ  Ｎｏｄｅは無線リンクを介してＣｈｉｌｄ  Ｎｏｄｅリンクへｂａｃｋｈａｕｌデータ又はａｃｃｅｓｓリンクデータを伝送し、ａｃｃｅｓｓリンクであるかｂａｃｋｈａｕｌリンクであるかは、Ｃｈｉｌｄ  Ｎｏｄｅのタイプに依存する。ＩＡＢ  ｎｏｄｅであれば、Ｐａｒｅｎｔ  ＮｏｄｅとＣｈｉｌｄ  Ｎｏｄｅとの送信データを同時に受信する。
【０１１８】
図６に示すように、Ｄｏｎｏｒ  ｎｏｄｅと各レベルのＩＡＢ  ｎｏｄｅのネットワークとは、共通の絶対タイミング時刻（誤差範囲内）をメンテナンスし、このような統一タイミングは、ＯＴＡ又はＧＰＳなどのメカニズムによって実現することができる。これらのノードがＣｈｉｌｄ  Ｎｏｄｅにデータを送信すれば、このようなタイミング時刻を参照点としてデータ送信を行う必要があり、この参照点はダウンリンク送信時刻と呼ばれる。
【０１１９】
上位ノードは、下位ノードに対してｂａｃｋｈａｕｌ  ｌｉｎｋ送信と受信に用いられる時間領域ユニットを設定し、上位ノードはｄｏｎｏｒ  ｎｏｄｅ又はＩＡＢで、下位ノードはＩＡＢ  ｎｏｄｅであってよい。本実施形態では、上位ノードはｆａｔｈｅｒ  ｎｏｄｅと表記され、下位ノードはＩＡＢ  ｎｏｄｅと表記され、ＩＡＢ  ｎｏｄｅの下位ノードはｃｈｉｌｄ  ｎｏｄｅと表記される。
【０１２０】
ＩＡＢ  ｎｏｄｅは、ｆａｔｈｅｒ  ｎｏｄｅから送信された信号の受信パワーを測定し、ＩＡＢ  ｎｏｄｅは、ｃｈｉｌｄ  ｎｏｄｅによって送信された受信信号パワーを測定する。
【０１２１】
ｆａｔｈｅｒ  ｎｏｄｅから送信された、ＩＡＢ  ｎｏｄｅによって測定される信号は、同期ブロードキャストブロック（ＳＳＢ）と、チャネル測定用パイロット（ＣＳＩ−ＲＳ）と、位相追跡用ＲＳ（ＰＴＲＳ）と、物理制御チャネル（ＰＤＣＣＨ）と、物理共有チャネル（ＰＤＳＣＨ）と、制御チャネル復調用ＤＭＲＳ（ＤｅＭｏｄｕｌａｔｉｏｎ  Ｒｅｆｅｒｅｎｃｅ  Ｓｉｇｎａｌ（復調基準信号）、ＰＤＣＣＨ  ＤＭＲＳ）と、物理ブロードキャストチャネル復調用ＤＭＲＳ（ＰＢＣＨ  ＤＭＲＳ）と、物理共有チャネル復調用ＤＭＲＳ（ＰＤＳＣＨ  ＤＭＲＳ）と、のうちの少なくとも１つを含む。ｃｈｉｌｄ  ｎｏｄｅから送信された、ＩＡＢ  ｎｏｄｅによって測定される信号は、ＰＵＣＣＨと、ＰＵＳＣＨと、ＰＵＳＣＨ  ＤＭＲＳと、ＰＵＣＣＨ  ＤＭＲＳと、のうちの少なくとも１つを含む。
【０１２２】
以降、上記ｆａｔｈｅｒ  ｎｏｄｅとｃｈｉｌｄ  ｎｏｄｅとから送信されるチャネル又はパイロットについて特に説明しない限り、いずれも信号又はチャネルと総称する。
【０１２３】
ＩＡＢ  ｎｏｄｅは、ｆａｔｈｅｒ  ｎｏｄｅから送信された信号又はチャネルの受信パワーを測定し、ＩＡＢ  ｎｏｄｅは、ｃｈｉｌｄ  ｎｏｄｅから送信された信号又はチャネルの受信パワーを測定する。ＩＡＢ  ｎｏｄｅは、両者のパワー差を計算し、このパワー差はｐｏｗｅｒ−ｏｆｆｓｅｔと表記される。
【０１２４】
或いは、ＩＡＢ  ｎｏｄｅは、ｃｈｉｌｄ  ｎｏｄｅから送信された信号又はチャネルの受信パワーを測定し、ＩＡＢ  ｎｏｄｅは、このパワーをｒｅｃｅｉｖｅｄ−ｐｏｗｅｒ−ｅｘｐｅｃｔｅｄと表記する。
【０１２５】
更に、ＩＡＢ  ｎｏｄｅは、ｆａｔｈｅｒ  ｎｏｄｅから送信された信号又はチャネルを測定し、ＰＬ＿ｄｏｗｎｌｉｎｋと表記されるパスロスを測定する。ＩＡＢノードは、ｆａｔｈｅｒ  ｎｏｄｅの所望の送信パワーをｔｘ−ｐｏｗｅｒ−ｅｘｐｅｃｔｅｄ＝ｒｅｃｅｉｖｅｄ−ｐｏｗｅｒ−ｅｘｐｅｃｔｅｄ＋ＰＬ＿ｄｏｗｎｌｉｎｋとして計算する。
【０１２６】
ＴＤＤシステムに対して、ＩＡＢ  ｎｏｄｅは、第１のフレーム構成パラメータと、第２のフレーム構成パラメータと、第３のフレーム構成パラメータとのうちの２つを受信するように構成される。
【０１２７】
第１のフレーム構成パラメータは、Ｐａｒｅｎｔ  ｎｏｄｅがブロードキャスト（例えば、ＳＩＢ）により設定した共通フレーム構成パラメータ、又は約束された共通フレーム構成パラメータであってよい。第２のフレーム構成パラメータは、Ｐａｒｅｎｔ  ｎｏｄｅが専用シグナリング（ＲＲＣ  ｓｉｇｎａｌｉｎｇ）により設定した専用フレーム構成パラメータである。第３のフレーム構成パラメータは、例えば（ＲＲＣ  ｓｉｇｎａｌｉｎｇ）の専用シグナリングにより通知された専用フレーム構成パラメータであり、このシグナリングは、ｂａｃｋｈａｕｌ  ｌｉｎｋに用いられる時間領域リソースの分割状況の通知に専用される。
【０１２８】
第１のフレーム構成パラメータがＰａｒｅｎｔ  ｎｏｄｅによりＩＡＢ  ｎｏｄｅに対して設定されたものであれば、共通フレーム構成パラメータは、そのサービスするノードに対して同様に設定され、第２のフレーム構成パラメータは、更なるフレーム構成を示し、第１のフレーム構成パラメータと共にアップリンク伝送又はダウンリンク受信動作に用いられる領域を示す。ＩＡＢについて、そのｂａｃｋｈａｕｌ  ｌｉｎｋに用いられる伝送リソースは、第３のフレーム構成パラメータと第１のフレーム構成パラメータ及び／又は第２のフレーム構成パラメータとの組み合わせ結果により最終の伝送リソースが決定される。
【０１２９】
図１１に示すように、第３のフレーム構成パラメータをｂｉｔ−ｍａｐ（ビットマップ）の形式で通知することができる。図１１は、本開示の実施形態に係るｂｉｔ−ｍａｐの形式で第３のフレーム構成パラメータを通知する概略図であり、ダウンリンク受信とアップリンク伝送はそれぞれ１つのｂｉｔ−ｍａｐに対応し、ｂａｃｋｈａｕｌダウンリンク受信に対する設定シグナリングは１つのフィールドｂｉｔ−ｍａｐ−ｂａｃｋｈａｕｌ−ＲＸに対応し、そのビット数は、ＴＤＤシステムに対して、１つのアップ・ダウンリンク設定におけるスロット数である。
【０１３０】
ＦＤＤ（Ｆｒｅｑｕｅｎｃｙ  Ｄｉｖｉｓｉｏｎ  Ｄｕｐｌｅｘｉｎｇ、周波数分割二重）システムに対して、ＲＲＣ（Ｒａｄｉｏ  Ｒｅｓｏｕｒｃｅ  Ｃｏｎｔｒｏｌ、無線リソース制御）シグナリングが更新されていなければ、ＩＡＢは現在の設定スロット数を周期として後続のスロットに適用する。１のビット値に対応するスロットは、ｂａｃｋｈａｕｌ  ＲＸに対応する。アップリンクｂａｃｋｈａｕｌ送信に対応する設定シグナリングは１つのフィールドｂｉｔ−ｍａｐ−ｂａｃｋｈａｕｌ−ＴＸに対応し、そのビット数は１つのアップ・ダウンリンク設定におけるスロット数である。
【０１３１】
ＴＤＤシステムに対して、１つのアップ・ダウンリンク設定におけるスロット数であり、ＦＤＤシステムに対して、ＲＲＣシグナリングが更新されていなければ、ＩＡＢは現在の設定スロット数を周期として後続のスロットに適用する。
【０１３２】
ＩＡＢ  ｎｏｄｅについて、ＩＡＢノードに関するｂａｃｋｈａｕｌ  ＲＸ（ｄｏｗｎｌｉｎｋ  ｌｉｎｋ  ｂａｃｋｈａｕｌ、ＤＢ）と、ＵＢ  ＴＸ（ｕｐｌｉｎｋ  ｂａｃｋｈａｕｌ、ＵＢ）と、を受信すると、ＩＡＢ  ｎｏｄｅは、上記計算したパワーオフセットをｂａｃｋｈａｕｌリンクに対応するタイムユニットで報告する。Ｐａｒｅｎｔ  ｎｏｄｅは、ＩＡＢ  ｎｏｄｅによって報告された内容を受信して、パワー調整の通知を行う。
【０１３３】
パワー報告を受信した上位ノードｐａｒｅｎｔ  ｎｏｄｅについて、ｐａｒｅｎｔ  ｎｏｄｅはＩＡＢ  ｎｏｄｅから報告された所望のパワーに基づいて調整したり、自身のスケジューリング状況に応じてＩＡＢ  ｎｏｄｅから報告されたパワー情報を無視したり、ＩＡＢ  ｎｏｄｅからの報告に従ってパワー調整を行い、かつパワーの調整ソリューションをシグナリングの方式でＩＡＢ  ｎｏｄｅに通知したりしてよい。
【０１３４】
パワー調整の方式の１つとして、ＩＡＢ  ｎｏｄｅは、ｐａｒｅｎｔ  ｎｏｄｅがＩＡＢ  ｎｏｄｅから報告された所望のパワーに基づいてパワー調整を行うと仮定し、ＩＡＢ  ｎｏｄｅはＩＡＢ  ｎｏｄｅに確認メッセージを送信しない。ＩＡＢ  ｎｏｄｅは所望のパワーを送信した後にＤＢリンクのパワーを測定し、ＩＡＢ  ｎｏｄｅが測定したＤＢリンクのパワーがその報告した所望のパワーと一致する場合に、ＤＢとＵＡ（ｕｐｌｉｎｋ  ａｃｃｅｓｓ）のリンク多重化を行い、ＵＡはＩＡＢ  ｎｏｄｅ自身がサービスする下位の端末タイプのノードに対応するアップリンク送信リンクであり、ＩＡＢ  ｎｏｄｅの受信動作に対応する。或いは、ＤＢとＵＢ（ｕｐｌｉｎｋ  ｂａｃｋｈａｕｌ）のリンク多重化を行い、ＵＢはＩＡＢ  ｎｏｄｅがサービスする下位のＩＡＢタイプのノードに対応するアップリンク送信リンクであり、ＩＡＢ  ｎｏｄｅの受信動作に対応する。
【０１３５】
パワーインジケイションの方式は、一定のタイムユニットを粒度としてＤＢリンクの送信パワー値を示す方式、又は一定のタイムユニットを粒度としてＤＢリンクのＩＡＢ  ｎｏｄｅに対する受信パワーを示す方式、又は一定のタイムユニットを粒度としてＤＢリンクの送信パワーのオフセット値を示す方式を含む。
【０１３６】
上記一定のタイムユニットは、１つ以上のＯＦＤＭシンボルの持続時間、１つ以上のスロットの持続時間であってよく、好ましいパワー調整は、タイムユニットの粒度として１つのスロットに基づいて行われる。
【０１３７】
ＩＡＢ  ｎｏｄｅは所望のパワー調整値をフィードバックし、ｐａｒｅｎｔ  ｎｏｄｅによって確認されたパワー調整値は、対応するＤＢタイムユニットにおける送信パワーパターンであり、図１２に示すように、図１２は、本開示の実施形態に係るパワー調整の概略図である。
【０１３８】
パワー調整値に対して、ＩＡＢ  ｎｏｄｅのフィードバックメカニズムは、ＩＡＢ  ｎｏｄｅによる所望のパワー調整値のフィードバックと、ＩＡＢ  ｎｏｄｅによる所望の受信パワーのフィードバックと、ＩＡＢ  ｎｏｄｅによる所望の送信パワーのフィードバックと、を含む。
【０１３９】
パワー調整値に対して、ＩＡＢ  ｎｏｄｅが所望のパワー調整オフセット値をフィードバックすれば、ｐａｒｅｎｔ  ｎｏｄｅはＩＡＢ  ｎｏｄｅによってフィードバックされたオフセット値に基づいて対応するパワー調整を行う。
【０１４０】
例えば、ＩＡＢ  ｎｏｄｅは所望のパワーオフセット値を一定の時間粒度で［ｐ−ｏｆｆｓｅｔ１，ｐ−ｏｆｆｓｅｔ２，ｐ−ｏｆｆｓｅｔ３，．．．，ｐ−ｏｆｆｓｅｔＮ］としてフィードバックし、ｐａｒｅｎｔ  ｎｏｄｅは報告と同じ時間粒度でＩＡＢ  ｎｏｄｅにパワー調整値［ｐ−ｏｆｆｓｅｔ１′，ｐ−ｏｆｆｓｅｔ２′，ｐ−ｏｆｆｓｅｔ３′，．．．，ｐ−ｏｆｆｓｅｔＮ′］を通知し、或いは、ｐａｒｅｎｔ  ｎｏｄｅは、別の時間粒度でＩＡＢ  ｎｏｄｅにパワー調整値を通知し、或いは、ｐａｒｅｎｔ  ｎｏｄｅは、１ビットの情報のみを送信して、ＩＡＢ  ｎｏｄｅから報告された所望のパワーオフセットに従ってパワー調整を行うか否かを示し、例えば、「１」は、肯定的な応答を表し、つまり、ＩＡＢ  ｎｏｄｅは、このメッセージを受信すると、後続のＤＢリンクの受信パワーレベルが所望のパワーレベルであると見なし、「０」は否定的な応答を表し、つまり、ＩＡＢ  ｎｏｄｅは、後続のＤＢリンクの受信パワーレベルが所望のパワーレベルであるか否かを仮定することができない。
【０１４１】
パワーオフセット値について、ＩＡＢ  ｎｏｄｅは、ＤＢの受信パワーと、下位ノードによってＵＢリンクにおいて送信されたデータの受信パワーとの差を測定し、即ち、ｐ＿ｏｆｆｓｅｔ＝ｐ＿ＤＢ−ｐ＿ＵＢである。或いは、ＩＡＢ  ｎｏｄｅは、ＤＢの受信パワーと、下位の端末ノードによってＵＡリンクにおいて送信されたデータの受信パワーとの差を測定し、即ち、ｐ−ｏｆｆｓｅｔ＝ｐ−ＤＢ−ｐ−ＵＡである。
【０１４２】
所望の受信パワーに対して、ＩＡＢ  ｎｏｄｅは、ダウンリンクのパスロスＰＬ＿ｄｏｗｎｌｉｎｋを報告し、ｐａｒｅｎｔ  ｎｏｄｅはパワーをｔｘ＿ｐｗｒ＝ｒｅｃｅｉｖｅｄ−ｐｏｗｅｒ−ｅｘｐｅｃｔｅｄ＋ＰＬ＿ｄｏｗｎｌｉｎｋに調整する。
【０１４３】
Ｐａｒｅｎｔ  ｎｏｄｅは、調整すべきパワーをＩＡＢ  ｎｏｄｅに通知し、（図１２に示すように）一定の時間領域ユニットを粒度として対応する時間領域ユニットの所望の受信パワー又は送信パワーを通知し、或いは、ＩＡＢ  ｎｏｄｅにｐｏｓｉｔｉｖｅ又はｎｅｇａｔｉｖｅ応答を行い、つまり、ＩＡＢ  ｎｏｄｅのｒｅｑｕｅｓｔに応じて対応するタイムユニットで送信パワーをＩＡＢ  ｎｏｄｅの所望の受信パワーに調整する。
【０１４４】
ＩＡＢ  ｎｏｄｅが報告したのが所望の送信パワーであれば、ＩＡＢ  ｎｏｄｅはｐａｒｅｎｔ  ｎｏｄｅから送信されたＳＳＢの受信パワーを測定し、ＤＢリンクのパスロス（ＰＬ＿ＤＢと表記される）を測定し、ＩＡＢ  ｎｏｄｅは下位ノードから送信されたデータの受信パワーを測定し、受信パワーはｐ＿ＵＡ又はＰ＿ＵＢと表記され、Ｐ＿ＵＡ又はＰ＿ＵＢとＰ＿ＤＢとのパワーオフセットはｐ＿ｏｆｆｓｅｔであり、ｐａｒｅｎｔ  ｎｏｄｅの所望の送信パワーはｐ＿ｔｘ＿ｅｘｐｅｃｔｅｄ＝ｐ＿ＤＢ＋ＰＬ＿ｄｏｗｎｌｉｎｋ−ｐ＿ｏｆｆｓｅｔと推定される。
【０１４５】
或いは、ｐａｒｅｎｔ  ｎｏｄｅはＩＡＢ  ｎｏｄｅにダウンリンクのある信号又はチャネルの送信パワー（ｐ＿ｔｘと表記される）を通知し、ＩＡＢはパワーオフセットに基づいてｐａｒｅｎｔ  ｎｏｄｅの所望の送信パワーを推定し、即ち、ｐ＿ｔｘ＿ｅｘｐｅｃｔｅｄ＝ｐ＿ｔｘ−ｐ＿ｏｆｆｓｅｔである。或いは、ＩＡＢ  ｎｏｄｅが通知した特定の信号又はチャネルのパワーとＤＢリンクの伝送制御及びサービスチャネルとの間にパワーオフセットが存在し、このパワーオフセットはｐ＿ｏｆｆｓｅｔ＿ｄｉｆｆ＿ｓｉｇｎａｌ＝ｐ＿ＤＬ＿ｒｅｆ＿ｔｘ−ｐ＿ＤＬ＿ｃｔｒｌ＿ｔｘ、又はｐ＿ｏｆｆｓｅｔ＿ｄｉｆｆ＿ｓｉｇｎａｌ＝ｐ＿ＤＬ＿ｒｅｆ＿ｔｘ−ｐ＿ＤＬ＿ｄａｔａ＿ｔｘと表記される。
【０１４６】
ただし、ｐ＿ＤＬ＿ｒｅｆ＿ｔｘは、パワー調整として用いられる信号又はチャネルであり、ダウンリンク同期信号ブロードキャストブロック（ＳＳＢ）と、物理ブロードキャストチャネルの復調基準信号（ＰＢＣＨ  ＤＭＲＳ）と、チャネル状態測定信号（ＣＳＩ−ＲＳ）と、位相追跡基準信号（ＰＴＲＳ）とを含む。
【０１４７】
このとき、所望の送信パワーはｐ＿ｔｘ＿ｅｘｐｅｃｔｅｄ＝ｐ＿ｔｘ−ｐ＿ｏｆｆｓｅｔ＋ｐ＿ｏｆｆｓｅｔ＿ｄｉｆｆ＿ｓｉｇｎａｌであり、ここで、ｐ＿ｏｆｆｓｅｔ＿ｄｉｆｆ＿ｓｉｇｎａｌは測定信号又はチャネルと受信信号又はチャネルとのパワーオフセットであり、このパワーオフセットは、ブロードキャスト又はユニキャスト又はＩＡＢノード間専用のシグナリング又はネットワーク管理バックグラウンドによりＩＡＢ  ｎｏｄｅに設定されるか、又は両者間で約束されるパワーオフセットである。
【０１４８】
ＴＤＤシステムに対して、ＩＡＢ  ｎｏｄｅはＰａｒｅｎｔ  ｎｏｄｅによって設定された第１のフレーム構成パラメータを取得し、ＩＡＢ  ｎｏｄｅはフレーム構成のアップ・ダウンリンクの分割状況を知り、ＩＡＢノードはＰａｒｅｎｔ  ｎｏｄｅによって設定された第２のフレーム構成パラメータを取得し、ＩＡＢ  ｎｏｄｅはＩＡＢ  ｎｏｄｅに対する追加のアップ・ダウンリンク分割を知る。
【０１４９】
更に、第３のフレーム構成パラメータに基づいて、ｂａｃｋｈａｕｌリンクのダウンリンク受信に用いられる時間領域ユニット分割と、ｂａｃｋｈａｕｌリンクのアップリンク受信に用いられる時間領域ユニット分割と、ａｃｃｅｓｓリンクのダウンリンク送信に用いられる時間領域ユニット分割と、ａｃｃｅｓｓリンクのアップリンク受信に用いられる時間領域ユニット分割と、ｂａｃｋｈａｕｌリンクのダウンリンクデータ受信に用いられると共に、ａｃｃｅｓｓリンクのアップリンクデータ受信に用いられる時間領域ユニット分割と、送信又は受信に用いられない時間領域ユニット分割と、ｂａｃｋｈａｕｌリンクのアップリンクデータ送信に用いられると共に、ａｃｃｅｓｓリンクのダウンリンク送信に用いられる時間領域ユニット分割と、のうちの少なくとも１つ又は複数の組み合わせを最終的に決定する。
【０１５０】
好ましくは、Ｐａｒｅｎｔ  ｎｏｄｅがＤｏｎｏｒ  ｎｏｄｅであれば、子ノードに設定した第２のフレーム構成パラメータのアップ・ダウンリンクレンジは、第１のフレーム構成パラメータによってＦｌｅｘｉｂｌｅとして設定されたレンジに拡張されることができる。Ｄｏｎｏｒ  ｎｏｄｅではないＰａｒｅｎｔ  ｎｏｄｅは、下位ノードに対してフレーム構成設定を行う場合、アップ・ダウンリンクの伝送は自身のアップ・ダウンリンク伝送方向に従うべきであり、つまり、下位ノードに対してアップ・ダウンリンク設定を行う場合、自身の伝送方向と逆の設定が許されない。例えば、現在のノードのＵＬ／Ｆ領域は下位ノードに対してＤＬとして設定されることができず、現在のノードのＤＬ／Ｆ領域はＵＬとして設定されることもできない。
【０１５１】
第１のフレーム構成パラメータは、設定の周期とタイプを含み、周期は、スロット持続時間の整数倍であり、タイプは、ＵＬ、ＤＬ及びＦｌｅｘｉｂｌｅを含み、持続時間は、１つ又は複数のＯＦＤＭシンボルに対応する時間又はスロット持続時間の整数倍である。該第１のフレーム構成パラメータは共通フレーム構成パラメータであり、該共通フレーム構成パラメータは、カバーした端末のＩＡＢ  ｎｏｄｅにブロードキャスト伝送により通知され、好ましくは、ＳＩＢの形式で搬送される。
【０１５２】
或いは、共通フレーム構成パラメータは、約束された方式でアップ・ダウンリンク分割が行われ、例えば、周期がＰ＿ｕｌ＿ｄｌ＿ｄｅｆａｕｌｔのアップ・ダウンリンク設定は最も基礎的なアップ・ダウンリンク設定として約束され、偶数フレームからの最初のｎＳｌｏｔ＿ＤＬ個のｓｌｏｔはｄｏｗｎｌｉｎｋであり、ここで、周期Ｐ＿ｕｌ＿ｄｌ＿ｄｅｆａｕｌｔは無線フレームの整数倍であることが好ましく、好ましい周期は２０ｍｓ、４０ｍｓ及び８０ｍｓであり、周期Ｐ＿ｕｌ＿ｄｌ＿ｄｅｆａｕｌｔ内の最後のｎＳｌｏｔ＿ＵＬ個のスロットはｕｐｌｉｎｋであり、残りの位置はＦｌｅｘｉｂｌｅである。
【０１５３】
つまり、このとき、現在のノードはＦｌｅｘｉｂｌｅによって示された位置について如何なる仮定を行うこともできず、後続の更なる半静的構成に基づいてその伝送方向を決定し、或いは、これらの位置は予備リソースであり、即ち、これらのリソースについて、最後に如何なる送受信動作の仮定を行うこともできない。
【０１５４】
更に、約束されたスロット数を具体的なｎｕｍｅｒｏｌｏｇｙと関係づけることができ、例えば、システムの参照ｎｕｍｅｒｏｌｏｇｙがｕＲｅｆであり、現在のｎｕｍｅｒｏｌｏｇｙがｕＡｃｔであれば、実際にアップリンクとダウンリンク伝送に用いられるスロット数がｎＳｌｏｔ＊２＾（ｕＡｃｔ−ｕＲｅｆ）に調整される。
【０１５５】
第２のフレーム構成パラメータは、設定の周期とタイプを含み、周期は、スロット持続時間の整数倍であり、タイプは、ＵＬ、ＤＬ及びＦｌｅｘｉｂｌｅを含み、持続時間は、１つ又は複数のＯＦＤＭシンボルに対応する時間又はスロット持続時間の整数倍である。該第２のフレーム構成パラメータは第１の専用フレーム構成パラメータであり、第１の専用フレーム構成パラメータは、上位層シグナリングにより伝送され、ＩＡＢ  ｎｏｄｅは、そのサービスする下位のＩＡＢ  ｎｏｄｅ又は端末に対してそれぞれの第１の専用設定パラメータを設定する。実際のプロセスにおいて、第１の専用設定パラメータを省略することができ、このとき、ＩＡＢ  ｎｏｄｅと端末とは、共通フレーム構成設定パラメータ（共通フレーム構成パラメータ）のみに基づいてアップ・ダウンリンク分割を理解する。共通フレーム構成設定パラメータも欠落していれば、上記デフォルトの方式でアップ・ダウンリンクの分割状況を理解する。
【０１５６】
第３のフレーム構成パラメータは、設定の周期とタイプを含み、周期は、スロット持続時間の整数倍であり、タイプは、ＵＬ、ＤＬ及びＦｌｅｘｉｂｌｅを含み、持続時間は、１つ又は複数のＯＦＤＭシンボルに対応する時間又はスロット持続時間の整数倍である。第３のフレーム構成パラメータは第２の専用フレーム構成パラメータであり、専用シグナリングにより設定されることができ、ＩＡＢに対してｂａｃｋｈａｕｌ専用の送受信伝送を設定するために用いられる。
【０１５７】
更に、第３のフレーム構成設定パラメータのタイプは、ｄｏｗｎｌｉｎｋ  ｂａｃｋｈａｕｌ、Ｆｌｅｘｉｂｌｅ及びｕｐｌｉｎｋ  ｂａｃｋｈａｕｌに限定されることができる。そして、ＩＡＢ  ｎｏｄｅに対して、第３のフレーム構成設定パラメータの伝送方向は、第１のフレーム構成設定パラメータ及び／又は第２のフレーム構成設定パラメータの伝送方向を上書きすることができる。これにより、ＩＡＢ  ｎｏｄｅの最終的なフレーム構成が特定される。
【０１５８】
ＩＡＢ  ｎｏｄｅは上述したＰａｒｅｎｔ  ｎｏｄｅのフレーム構成設定に基づいて、（１）１周期内に最終的にアップ・ダウンリンクに用いられる伝送タイムユニットと、（２）１周期内に最終的にｂａｃｋｈａｕｌアップリンク伝送又はｂａｃｋｈａｕｌダウンリンク受信に用いられる伝送タイムユニットと、（３）１周期内に最終的に本ノードがａｃｃｅｓｓ  ｌｉｎｋのアップリンク伝送をスケジューリングするための潜在的タイムユニットと、のうちの少なくとも１つを決定し、上記ａｃｃｅｓｓ  ｌｉｎｋのアップリンク伝送は、本ノードがそのサービスするノード（一般的な端末とＩＡＢ  ｎｏｄｅとを含む）によるアップリンクデータ伝送をスケジューリングする動作であり、この動作は、上位ノードによってスケジューリングされ制御され、図１のトポロジに示されるように、Ｃｈｉｌｄ  ｎｏｄｅのアップリンク伝送はＩＡＢ  ｎｏｄｅによってスケジューリングされる。
【０１５９】
上記ａｃｃｅｓｓ  ｌｉｎｋのアップリンク伝送のタイムユニットは、アップリンクタイムユニット内のアップリンクｂａｃｋｈａｕｌ伝送用のタイムユニット以外の位置であり、図７中のＰｏｔｅｎｔｉａｌ  ｃｏｎｆｉｇ１  ｏｆ  ＵＥ  ｕｎｄｅｒ  ＩＡＢに示されるように、本ノードがａｃｃｅｓｓ  ｌｉｎｋのダウンリンク伝送をスケジューリングする潜在的タイムユニットは、ダウンリンクタイムユニット内のｂａｃｋｈａｕｌ  ｌｉｎｋダウンリンク受信用のタイムユニット以外の位置であり、或いは、１周期内に最終的に本ノードがアップリンクタイムユニットをスケジューリングするための潜在的位置、例えば、ダウンリンクタイムユニット内のダウンリンクｂａｃｋｈａｕｌ受信用のタイムユニットの一部又は全部であり、図７中のＰｏｔｅｎｔｉａｌ  ｃｏｎｆｉｇ２  ｏｆ  ＵＥ  ｕｎｄｅｒ  ＩＡＢに示されるように、本ノードがダウンリンクタイムユニットをスケジューリングする潜在的位置は、アップリンクタイムユニット内のアップリンクｂａｃｋｈａｕｌ送信用のタイムユニットの一部又は全部である。
【０１６０】
ＩＡＢ  ｎｏｄｅの下位ノードが依然としてＩＡＢ  ｎｏｄｅ（ＩＡＢ  ｎｏｄｅ２と表記される）であれば、ＩＡＢ  ｎｏｄｅは、依然として上記プロセスに従って、それに対して、第１のフレーム構成パラメータ、第２のフレーム構成パラメータ及び第３のフレーム構成パラメータのうちの１つ以上、又は、デフォルトの共通フレーム構成パラメータを設定する必要がある。第１のフレーム構成パラメータは共通のフレーム構成パラメータであり、第２のフレーム構成パラメータは第１の専用フレーム構成パラメータであり、好ましくは、ＲＲＣシグナリングを用いて伝送され、第３のフレーム構成パラメータは第２の専用フレーム構成パラメータであり、好ましくは、動的シグナリングを用いて設定される。
【０１６１】
図７のＰｏｔｅｎｔｉａｌ  ｃｏｎｆｉｇ１  ｏｆ  ＩＡＢ２  ｕｎｄｅｒ  ＩＡＢに示されるように、ＩＡＢ  ｎｏｄｅは、その自身のダウンリンク領域においてＩＡＢ  ｎｏｄｅ２に対してＤＢを設定し、ＩＡＢ  ｎｏｄｅは、その自身のアップリンク領域においてＩＡＢ  ｎｏｄｅ２に対してＵＢを設定する。
【０１６２】
更に、ＩＡＢ  ｎｏｄｅがＩＡＢ  ｎｏｄｅ２に対して設定したＵＢはＩＡＢ  ｎｏｄｅのフレーム構成のＤｏｗｎｌｉｎｋ領域内に位置し、ＤＢは対応するＩＡＢ  ｎｏｄｅのフレーム構成のＵｐｌｉｎｋ領域内に位置する。
【０１６３】
このように、図７のＰｏｔｅｎｔｉａｌ  ｃｏｎｆｉｇ２  ｏｆ  ＩＡＢ２  ｕｎｄｅｒ  ＩＡＢに示されるように、１つのノードが上位ノードと下位ノードとによって送信されたデータを同時に受信すること、及び／又は１つのノードが上位ノードと下位ノードとにデータを同時に送信することを実現することができる。
【０１６４】
Ｐｏｔｅｎｔｉａｌ  ｃｏｎｆｉｇ２  ｏｆ  ＩＡＢ２  ｕｎｄｅｒ  ＩＡＢとＰｏｔｅｎｔｉａｌ  ｃｏｎｆｉｇ１  ｏｆ  ＩＡＢ２  ｕｎｄｅｒ  ＩＡＢとの相違点は、ｃｏｎｆｉ２では、例えば、ＦＤＭ（周波数分割多重化）又はＳＤＭ（空間分割多重化）を用い、下位ノードからの受信と上位ノードからの受信とが同時に行われることができることに対し、ｃｏｎｆｉｇ１では、下位ノードへの送信は、その自身のダウンリンク領域においてｂａｃｋｈａｕｌ受信のない領域が選択されて下位ノードのダウンリンクフレーム構成として設定されるという点にある。
【０１６５】
上位ノードに対する送信タイミングと下位ノードに対する送信タイミングとの間に差があるため、２つの送信動作は同時に行われることができない。ＩＡＢ  ｎｏｄｅは、ＩＡＢ  ｎｏｄｅ２に対してダウンリンクｂａｃｋｈａｕｌをＩＡＢ  ｎｏｄｅのフレーム構成のダウンリンク領域にあるように設定すると共に、アップリンクｂａｃｋｈａｕｌをもＩＡＢ  ｎｏｄｅのフレーム構成のダウンリンク領域に設定してもよく、それにより、同一のノードが上位ノードと下位ノードとから送信されたデータを同時に受信することを実現する。図８に示すように、Ｐｏｔｅｎｔｉａｌ  ｃｏｎｆｉｇ３  ｏｆ  ＩＡＢ  ｎｏｄｅ２の状況である。
【０１６６】
タイムユニットは、１つ又は複数のスロット又は１つ又は複数のＯＦＤＭシンボルの持続時間、又は整数のスロットに１つ又は複数のＯＦＤＭシンボルをプラスした持続時間である。
【０１６７】
ＩＡＢ  ｎｏｄｅがｐａｒｅｎｔ  ｎｏｄｅに所望の送信パワー、所望のパワー調整値又は所望の受信パワーを送信し、ｐａｒｅｎｔ  ｎｏｄｅがＩＡＢ  ｎｏｄｅに基づいてｐａｒｅｎｔ  ｎｏｄｅに応じてパワー調整を行ったり、ｐａｒｅｎｔ  ｎｏｄｅが一定の時間領域粒度でその送信パワーの調整値を通知したり、ｐａｒｅｎｔ  ｎｏｄｅがＩＡＢ  ｎｏｄｅから報告された所望の受信パワー値に基づいて一定の時間粒度でＩＡＢ  ｎｏｄｅに対する受信パワー調整値を通知したりすると仮定する。ＩＡＢ  ｎｏｄｅは、周波数分割（ＦＤＭ）又は空間分割（ＳＤＭ）の方式で上位ノードから送信されたダウンリンクデータと下位ノードから送信されたアップリンクデータを受信し、多重化の方式でスペクトラム利用率を向上させる。
【０１６８】
ＦＤＤシステムに対して、ＩＡＢ  ｎｏｄｅは、第３のフレーム構成パラメータを受信するように構成される。アップ・ダウンリンク設定に関連するパラメータは、ＴＤＤシステムに適用され、ＦＤＤシステムは、アップ・ダウンリンクが個別に設定され、ＩＡＢノードは、アップ・ダウンリンクの設定を行う必要がなく、第３のフレーム構成パラメータはＩＡＢノードによるｂａｃｋｈａｕｌ伝送専用のタイムユニットを個別に示せばよい。
【０１６９】
上記フレーム構成設定に用いられる第１のフレーム構成パラメータと第２のフレーム構成パラメータとは、伝送方向の不一致がなく、例えば、共通フレーム構成パラメータにおいてダウンリンクとして設定された領域は第２のフレーム構成パラメータにおいてアップリンクとして設定されることができず、同様に、共通フレーム構成パラメータにおいてアップリンクとして設定された領域は第２のフレーム構成パラメータにおいてダウンリンクとして設定されることができない。
【０１７０】
ＩＡＢ  ｎｏｄｅのアップ・ダウンリンク設定は下位ノードの設定の根拠とされ、下位ノードが一般的な端末であれば、第３のフレーム構成の設定は、前の２つのフレーム構成の設定と衝突せず、下位ノードがＩＡＢ  ｎｏｄｅであれば、第３のフレーム構成の設定は、方向が異なる伝送方向として設定されることができる。例えば、図７のＰｏｔｅｎｔｉａｌ  ｃｏｎｆｉｇ２  ｏｆ  ＩＡＢ２  ｕｎｄｅｒ  ＩＡＢに示される状況である。
【０１７１】
（実施形態５）
本実施形態のトポロジは、図１に示すように、Ｐａｒｅｎｔ  Ｎｏｄｅ、ＩＡＢ  Ｎｏｄｅ及びＣｈｉｌｄ  Ｎｏｄｅを含み、Ｐａｒｅｎｔ  ＮｏｄｅはＩＡＢ  ＮｏｄｅのＰａｒｅｎｔ  Ｎｏｄｅである。ＩＡＢ  Ｎｏｄｅは無線リンクを介してＰａｒｅｎｔ  Ｎｏｄｅとｂａｃｋｈａｕｌリンクデータを伝送し、Ｃｈｉｌｄ  ＮｏｄｅはＩＡＢ  Ｎｏｄｅの下位リンクであり、ＩＡＢ  Ｎｏｄｅは無線リンクを介してＣｈｉｌｄ  Ｎｏｄｅリンクへｂａｃｋｈａｕｌデータ又はａｃｃｅｓｓリンクデータを伝送し、ａｃｃｅｓｓリンクであるかｂａｃｋｈａｕｌリンクであるかは、Ｃｈｉｌｄ  Ｎｏｄｅのタイプに依存する。ＩＡＢ  ｎｏｄｅであれば、Ｐａｒｅｎｔ  ＮｏｄｅとＣｈｉｌｄ  Ｎｏｄｅとの送信データを同時に受信する。
【０１７２】
図６に示すように、Ｄｏｎｏｒ  ｎｏｄｅと各レベルのＩＡＢ  ｎｏｄｅのネットワークとは、共通の絶対タイミング時刻（誤差範囲内）をメンテナンスし、このような統一タイミングは、ＯＴＡ又はＧＰＳなどのメカニズムによって実現することができる。これらのノードがＣｈｉｌｄ  Ｎｏｄｅにデータを送信すれば、このようなタイミング時刻を参照点としてデータ送信を行う必要があり、この参照点はダウンリンク送信時刻と呼ばれる。
【０１７３】
ＩＡＢ  ｎｏｄｅは、第１のフレーム構成パラメータと、第２のフレーム構成パラメータと、第３のフレーム構成パラメータとのうちの２つを受信するように構成される。
【０１７４】
第１のフレーム構成パラメータは、Ｐａｒｅｎｔ  ｎｏｄｅがブロードキャスト（例えば、ＳＩＢ）により設定した共通フレーム構成パラメータ、又は約束された共通フレーム構成パラメータであってよい。第２のフレーム構成パラメータは、Ｐａｒｅｎｔ  ｎｏｄｅが専用シグナリング（ＲＲＣ  ｓｉｇｎａｌｉｎｇ）により設定した専用フレーム構成パラメータである。第３のフレーム構成パラメータは、Ｐａｒｅｎｔ  ｎｏｄｅが例えばＤＣＩ２−０の動的シグナリングにより動的に通知する第２の専用フレーム構成パラメータである。
【０１７５】
第１のフレーム構成パラメータがＰａｒｅｎｔ  ｎｏｄｅによりＩＡＢ  ｎｏｄｅに対して設定されたものであれば、共通フレーム構成パラメータは、そのサービスするノードに対して同様に設定され、第２のフレーム構成パラメータは、更なるフレーム構成を示し、第１のフレーム構成パラメータと共にアップリンク伝送又はダウンリンク受信動作に用いられる領域を示す。ＩＡＢについて、そのｂａｃｋｈａｕｌ  ｌｉｎｋとａｃｃｅｓｓ  ｌｉｎｋとに用いられる伝送リソースは、第３のフレーム構成パラメータと第１のフレーム構成パラメータ及び／又は第２のフレーム構成パラメータとの組み合わせ結果により最終の伝送リソースが決定される。
【０１７６】
ＩＡＢ  ｎｏｄｅはＰａｒｅｎｔ  ｎｏｄｅによって設定された第１のフレーム構成パラメータを取得し、ＩＡＢ  ｎｏｄｅはフレーム構成のアップ・ダウンリンクの分割状況を知り、ＩＡＢノードはＰａｒｅｎｔ  ｎｏｄｅによって設定された第２のフレーム構成パラメータを取得し、ＩＡＢ  ｎｏｄｅはＩＡＢ  ｎｏｄｅに対する追加のアップ・ダウンリンク分割を知る。
【０１７７】
更に、第３のフレーム構成パラメータに基づいて、ｂａｃｋｈａｕｌリンクのダウンリンク受信に用いられる時間領域ユニット分割と、ｂａｃｋｈａｕｌリンクのアップリンク受信に用いられる時間領域ユニット分割と、ａｃｃｅｓｓリンクのアップリンク受信に用いられる時間領域ユニット分割と、ａｃｃｅｓｓリンクのダウンリンク送信に用いられる時間領域ユニット分割と、ｂａｃｋｈａｕｌリンクのダウンリンクデータ受信に用いられると共に、ａｃｃｅｓｓリンクのアップリンクデータ受信に用いられる時間領域ユニット分割と、送信又は受信に用いられない時間領域ユニット分割と、ｂａｃｋｈａｕｌリンクのアップリンクデータ送信に用いられると共に、ａｃｃｅｓｓリンクのダウンリンク送信に用いられる時間領域ユニット分割と、のうちの少なくとも１つ又は複数の組み合わせを最終的に決定する。
【０１７８】
好ましくは、Ｐａｒｅｎｔ  ｎｏｄｅがＤｏｎｏｒ  ｎｏｄｅであれば、子ノードに設定した第２のフレーム構成パラメータのアップ・ダウンリンクレンジは、第１のフレーム構成パラメータによってＦｌｅｘｉｂｌｅとして設定されたレンジに拡張されることができる。Ｄｏｎｏｒ  ｎｏｄｅではないＰａｒｅｎｔ  ｎｏｄｅは、下位ノードに対してフレーム構成設定を行う場合、アップ・ダウンリンクの伝送は自身のアップ・ダウンリンク伝送方向に従うべきであり、つまり、下位ノードに対してアップ・ダウンリンク設定を行う場合、自身の伝送方向と逆の設定が許されない。例えば、現在のノードのＵＬ／Ｆ領域は下位ノードに対してＤＬとして設定されることができず、現在のノードのＤＬ／Ｆ領域はＵＬとして設定されることもできない。
【０１７９】
第１のフレーム構成パラメータは、設定の周期とタイプを含み、周期は、スロット持続時間の整数倍であり、タイプは、ＵＬ、ＤＬ及びＦｌｅｘｉｂｌｅを含み、持続時間は、１つ又は複数のＯＦＤＭシンボルに対応する時間又はスロット持続時間の整数倍である。共通フレーム構成パラメータは、カバーした端末のＩＡＢ  ｎｏｄｅにブロードキャスト伝送により通知され、好ましくは、ＳＩＢの形式で搬送される。
【０１８０】
或いは、共通フレーム構成パラメータは、約束された方式でアップ・ダウンリンク分割が行われ、例えば、周期がＰ＿ｕｌ＿ｄｌ＿ｄｅｆａｕｌｔのアップ・ダウンリンク設定は最も基礎的なアップ・ダウンリンク設定として約束され、偶数フレームからの最初のｎＳｌｏｔ＿ＤＬ個のｓｌｏｔはｄｏｗｎｌｉｎｋであり、ここで、周期Ｐ＿ｕｌ＿ｄｌ＿ｄｅｆａｕｌｔは無線フレームの整数倍であることが好ましく、好ましい周期は２０ｍｓ、４０ｍｓ及び８０ｍｓであり、周期Ｐ＿ｕｌ＿ｄｌ＿ｄｅｆａｕｌｔ内の最後のｎＳｌｏｔ＿ＵＬ個のスロットはｕｐｌｉｎｋであり、残りの位置はＦｌｅｘｉｂｌｅである。
【０１８１】
つまり、このとき、現在のノードはＦｌｅｘｉｂｌｅによって示された位置について如何なる仮定を行うこともできず、後続の更なる半静的構成に基づいてその伝送方向を決定し、或いは、これらの位置は予備リソースであり、即ち、これらのリソースについて、最後に如何なる送受信動作の仮定を行うこともできない。
【０１８２】
更に、約束されたスロット数を具体的なｎｕｍｅｒｏｌｏｇｙと関係づけることができ、例えば、システムの参照ｎｕｍｅｒｏｌｏｇｙがｕＲｅｆであり、現在のｎｕｍｅｒｏｌｏｇｙがｕＡｃｔであれば、実際にアップリンクとダウンリンク伝送に用いられるスロット数がｎＳｌｏｔ＊２＾（ｕＡｃｔ−ｕＲｅｆ）に調整される。
【０１８３】
第１のフレーム構成パラメータは、設定の周期とタイプを含み、周期は、スロット持続時間の整数倍であり、タイプは、ＵＬ、ＤＬ及びＦｌｅｘｉｂｌｅを含み、持続時間は、１つ又は複数のＯＦＤＭシンボルに対応する時間又はスロット持続時間の整数倍である。第１の専用フレーム構成パラメータは、上位層シグナリングにより伝送され、ＩＡＢ  ｎｏｄｅは、そのサービスする下位のＩＡＢ  ｎｏｄｅ又は端末に対してそれぞれの第１の専用設定パラメータを設定する。実際のプロセスにおいて、第１の専用設定パラメータを省略することができ、このとき、ＩＡＢ  ｎｏｄｅと端末とは、共通フレーム構成設定パラメータのみに基づいてアップ・ダウンリンク分割を理解する。共通フレーム構成設定パラメータも欠落していれば、上記デフォルトの方式でアップ・ダウンリンクの分割状況を理解する。
【０１８４】
第２のフレーム構成パラメータは、設定の周期とタイプを含み、周期は、スロット持続時間の整数倍であり、タイプは、ＵＬ、ＤＬ及びＦｌｅｘｉｂｌｅを含み、持続時間は、１つ又は複数のＯＦＤＭシンボルに対応する時間又はスロット持続時間の整数倍である。第２のフレーム構成は専用シグナリングにより設定され、ＩＡＢに対してｂａｃｋｈａｕｌ専用の送受信伝送を設定するために用いられる。
【０１８５】
更に、第３のフレーム構成設定パラメータのタイプは、ｄｏｗｎｌｉｎｋ  ｂａｃｋｈａｕｌ、Ｆｌｅｘｉｂｌｅ及びｕｐｌｉｎｋ  ｂａｃｋｈａｕｌに限定されることができる。そして、ＩＡＢ  ｎｏｄｅに対して、第３のフレーム構成設定パラメータの伝送方向は、第１のフレーム構成設定パラメータ及び／又は第２のフレーム構成設定パラメータの伝送方向を上書きすることができる。これにより、ＩＡＢ  ｎｏｄｅの最終的なフレーム構成が特定される。
【０１８６】
ＩＡＢ  ｎｏｄｅは上述したＰａｒｅｎｔ  ｎｏｄｅのフレーム構成設定に基づいて、（１）１周期内に最終的にアップ・ダウンリンクに用いられる伝送タイムユニットと、（２）１周期内に最終的にｂａｃｋｈａｕｌアップリンク伝送又はｂａｃｋｈａｕｌダウンリンク受信に用いられる伝送タイムユニットと、（３）１周期内に最終的に本ノードがａｃｃｅｓｓ  ｌｉｎｋのアップリンク伝送をスケジューリングするための潜在的タイムユニットと、のうちの少なくとも１つを決定し、上記ａｃｃｅｓｓ  ｌｉｎｋのアップリンク伝送は、本ノードがそのサービスするノード（一般的な端末とＩＡＢ  ｎｏｄｅとを含む）によるアップリンクデータ伝送をスケジューリングする動作であり、この動作は、上位ノードによってスケジューリングされ制御され、図１のトポロジに示されるように、Ｃｈｉｌｄ  ｎｏｄｅのアップリンク伝送はＩＡＢ  ｎｏｄｅによってスケジューリングされる。
【０１８７】
上記ａｃｃｅｓｓ  ｌｉｎｋのアップリンク伝送のタイムユニットは、アップリンクタイムユニット内のアップリンクｂａｃｋｈａｕｌ伝送用のタイムユニット以外の位置であり、図７中のＰｏｔｅｎｔｉａｌ  ｃｏｎｆｉｇ１  ｏｆ  ＵＥ  ｕｎｄｅｒ  ＩＡＢに示されるように、本ノードがａｃｃｅｓｓ  ｌｉｎｋのダウンリンク伝送をスケジューリングする潜在的タイムユニットは、ダウンリンクタイムユニット内のｂａｃｋｈａｕｌ  ｌｉｎｋダウンリンク受信用のタイムユニット以外の位置であり、或いは、１周期内に最終的に本ノードがアップリンクタイムユニットをスケジューリングするための潜在的位置、例えば、ダウンリンクタイムユニット内のダウンリンクｂａｃｋｈａｕｌ受信用のタイムユニットの一部又は全部であり、図７中のＰｏｔｅｎｔｉａｌ  ｃｏｎｆｉｇ２  ｏｆ  ＵＥ  ｕｎｄｅｒ  ＩＡＢに示されるように、本ノードがダウンリンクタイムユニットをスケジューリングする潜在的位置は、アップリンクタイムユニット内のアップリンクｂａｃｋｈａｕｌ送信用のタイムユニットの一部又は全部である。
【０１８８】
ＩＡＢ  ｎｏｄｅの下位ノードが依然としてＩＡＢ  ｎｏｄｅ（ＩＡＢ  ｎｏｄｅ２と表記される）であれば、ＩＡＢ  ｎｏｄｅは、依然として上記プロセスに従って、それに対して、第１のフレーム構成パラメータ、第２のフレーム構成パラメータ及び第３のフレーム構成パラメータのうちの１つ以上、又は、デフォルトの共通フレーム構成パラメータを設定する必要がある。
【０１８９】
第１のフレーム構成パラメータは共通のフレーム構成パラメータであり、第２のフレーム構成パラメータは専用のフレーム構成パラメータであり、好ましくは、ＲＲＣシグナリングを用いて伝送され、第３のフレーム構成パラメータは専用のフレーム構成パラメータであり、好ましくは、動的シグナリングを用いて設定される。図７のＰｏｔｅｎｔｉａｌ  ｃｏｎｆｉｇ１  ｏｆ  ＩＡＢ２  ｕｎｄｅｒ  ＩＡＢに示されるように、ＩＡＢ  ｎｏｄｅは、その自身のダウンリンク領域においてＩＡＢ  ｎｏｄｅ２に対してＤＢを設定し、ＩＡＢ  ｎｏｄｅは、その自身のアップリンク領域においてＩＡＢ  ｎｏｄｅ２に対してＵＢを設定する。
【０１９０】
更に、ＩＡＢ  ｎｏｄｅがＩＡＢ  ｎｏｄｅ２に対して設定したＵＢはＩＡＢ  ｎｏｄｅのフレーム構成のＤｏｗｎｌｉｎｋ領域内に位置し、ＤＢは対応するＩＡＢ  ｎｏｄｅのフレーム構成のＵｐｌｉｎｋ領域内に位置する。このように、図７のＰｏｔｅｎｔｉａｌ  ｃｏｎｆｉｇ２  ｏｆ  ＩＡＢ２  ｕｎｄｅｒ  ＩＡＢに示されるように、１つのノードが上位ノードと下位ノードとによって送信されたデータを同時に受信すること、及び／又は１つのノードが上位ノードと下位ノードとにデータを同時に送信することを実現することができる。
【０１９１】
Ｐｏｔｅｎｔｉａｌ  ｃｏｎｆｉｇ２  ｏｆ  ＩＡＢ２  ｕｎｄｅｒ  ＩＡＢとＰｏｔｅｎｔｉａｌ  ｃｏｎｆｉｇ１  ｏｆ  ＩＡＢ２  ｕｎｄｅｒ  ＩＡＢとの相違点は、ｃｏｎｆｉ２では、例えば、ＦＤＭ（周波数分割多重化）又はＳＤＭ（空間分割多重化）を用い、下位ノードからの受信と上位ノードからの受信とが同時に行われることができることに対し、ｃｏｎｆｉｇ１では、下位ノードへの送信は、その自身のダウンリンク領域においてｂａｃｋｈａｕｌ受信のない領域が選択されて下位ノードのダウンリンクフレーム構成として設定されるという点にある。
【０１９２】
上位ノードに対する送信タイミングと下位ノードに対する送信タイミングとの間に差があるため、２つの送信動作は同時に行われることができない。ＩＡＢ  ｎｏｄｅは、ＩＡＢ  ｎｏｄｅ２に対してダウンリンクｂａｃｋｈａｕｌをＩＡＢ  ｎｏｄｅのフレーム構成のダウンリンク領域にあるように設定すると共に、アップリンクｂａｃｋｈａｕｌをもＩＡＢ  ｎｏｄｅのフレーム構成のダウンリンク領域に設定してもよく、それにより、同一のノードが上位ノードと下位ノードとから送信されたデータを同時に受信することを実現する。図８に示すように、Ｐｏｔｅｎｔｉａｌ  ｃｏｎｆｉｇ３  ｏｆ  ＩＡＢ  ｎｏｄｅ２の状況である。
【０１９３】
タイムユニットは、１つ又は複数のスロット又は１つ又は複数のＯＦＤＭシンボルの持続時間、又は整数のスロットに１つ又は複数のＯＦＤＭシンボルをプラスした持続時間である。
【０１９４】
上記フレーム構成設定に用いられる第１のフレーム構成パラメータと第２のフレーム構成パラメータとは、伝送方向の不一致がなく、例えば、共通フレーム構成パラメータにおいてダウンリンクとして設定された領域は第２のフレーム構成パラメータにおいてアップリンクとして設定されることができず、同様に、共通フレーム構成パラメータにおいてアップリンクとして設定された領域は第２のフレーム構成パラメータにおいてダウンリンクとして設定されることができない。
【０１９５】
ＩＡＢ  ｎｏｄｅのアップ・ダウンリンク設定は下位ノードの設定の根拠とされ、下位ノードが一般的な端末であれば、第３のフレーム構成の設定は、前の２つのフレーム構成の設定と衝突せず、下位ノードがＩＡＢ  ｎｏｄｅであれば、第３のフレーム構成の設定は、方向が異なる伝送方向として設定されることができる。例えば、図７のＰｏｔｅｎｔｉａｌ  ｃｏｎｆｉｇ２  ｏｆ  ＩＡＢ２  ｕｎｄｅｒ  ＩＡＢに示される状況である。
【０１９６】
（実施形態６）
本実施形態において、上記実施形態及び好ましい実施態様を実現するためのフレーム構成の設定装置を更に提供し、既に説明したものが省略される。以下に使用されるように、「モジュール」という用語は、所定の機能を実現できるソフトウェア及び／又はハードウェアの組み合わせである。以下の実施形態で説明される装置は、好ましくはソフトウェアで実現されるが、ハードウェア、又はソフトウェアとハードウェアとの組み合わせで実現されることも考えられる。
【０１９７】
図１３は、本開示の実施形態に係るフレーム構成の設定装置の概略構成図であり、該装置は、第１のノード側に適用され、図１３に示すように、該装置は受信モジュール１３０２及び処理モジュール１３０４を含む。受信モジュール１３０２は、第２のノードによって設定されたフレーム構成パラメータを受信するように構成され、フレーム構成パラメータはフレーム構成の周期とタイプを含み、フレーム構成パラメータは共通フレーム構成パラメータ、第１の専用フレーム構成パラメータ及び第２の専用フレーム構成パラメータを含み、処理モジュール１３０４は受信モジュール１３０２とカップリング接続され、かつ共通フレーム構成パラメータ及び／又は第１の専用フレーム構成パラメータに基づいてフレーム構成のアップリンク／ダウンリンク分割状況を取得し、第２の専用フレーム構成パラメータに基づいてｂａｃｋｈａｕｌリンクのアップリンク伝送用のフレーム構成とｂａｃｋｈａｕｌリンクのダウンリンク伝送用のフレーム構成とを決定するように構成される。
【０１９８】
なお、フレーム構成の周期は、スロット持続時間の整数倍であり、フレーム構成のタイプは、アップリンクＵＬフレーム構成、ダウンリンクＤＬフレーム構成、Ｆｌｅｘｉｂｌｅフレーム構成を含む。第２の専用フレーム構成パラメータ中のフレーム構成のタイプは、アップリンクｂａｃｋｈａｕｌフレーム構成、ダウンリンクｂａｃｋｈａｕｌフレーム構成のうちの少なくとも１つを含む。
【０１９９】
好ましくは、第１のノードの下位ノードが端末ではなく上記第１のノードと同じタイプの伝送ノードである場合、第２の専用フレーム構成パラメータの伝送方向は、共通フレーム構成パラメータ及び第１の専用フレーム構成パラメータの伝送方向を上書きするために用いられることができる。
【０２００】
本実施形態の装置は、更に決定モジュールを含んでもよい。該決定モジュールは、フレーム構成パラメータの組み合わせに基づいて、１周期内に最終的にアップリンク／ダウンリンクに用いられる伝送タイムユニットと、１周期内に最終的にｂａｃｋｈａｕｌアップリンク伝送又はｂａｃｋｈａｕｌダウンリンク受信に用いられる伝送タイムユニットと、１周期内に最終的に本ノードがアップリンクタイムユニットをスケジューリングするための潜在的位置、又は１周期内に最終的に本ノードがダウンリンクタイムユニットをスケジューリングするための潜在的位置と、のうちの少なくとも１つを決定するように構成され、フレーム構成パラメータの組み合わせは、共通フレーム構成パラメータ、第１の専用フレーム構成パラメータ及び第２の専用フレーム構成パラメータと、共通フレーム構成パラメータ及び第２の専用フレーム構成パラメータと、第１の専用フレーム構成パラメータ及び第２の専用フレーム構成パラメータとを含む。
【０２０１】
なお、第１のノードの下位ノードがユーザ端末ではなく第１のノードと同じタイプの伝送ノードであり、かつ第１のノードのｂａｃｋｈａｕｌリソースが下位の伝送ノードのｂａｃｋｈａｕｌリソースとオーバーラップするか又は部分的にオーバーラップする場合、第１のノードと下位の伝送ノードとの送受信状態が逆であり、送受信状態が逆であるとは、第１のノードがｂａｃｋｈａｕｌリソースで受信動作を実行するとき、下位の伝送ノードがオーバーラップするか又は部分的にオーバーラップする領域で送信動作を実行することを指す。
【０２０２】
第１のノードの下位ノードがユーザ端末ではなく第１のノードと同じタイプの伝送ノードであり、かつ第１のノードのｂａｃｋｈａｕｌリソースが下位の伝送ノードのｂａｃｋｈａｕｌリソースとオーバーラップしない場合、第１のノードと下位の伝送ノードとの送受信状態が逆又は同じである。
【０２０３】
好ましくは、共通フレーム構成パラメータは、二重周期又は単一周期である。
【０２０４】
好ましくは、装置は、共通フレーム構成パラメータ及び／又は第１の専用フレーム構成パラメータ及び／又は第２の専用フレーム構成パラメータに基づいて下位ノードのフレーム構成を自律的に設定する方式と、第１の専用フレーム構成パラメータ及び／又は動的フレーム構成パラメータに基づいて下位ノードのフレーム構成を自律的に設定する方式であって、動的フレーム構成パラメータがＰＤＣＣＨによって設定される方式と、共通フレーム構成パラメータ、第１の専用フレーム構成パラメータ及び動的フレーム構成パラメータに基づいてフレーム構成を設定する方式と、上記共通フレーム構成パラメータ及び／又は第１の専用フレーム構成パラメータ及び／又は動的フレーム構成パラメータに基づいて下位ノードのフレーム構成を自律的に設定する方式であって、上記動的フレーム構成パラメータがＰＤＣＣＨによって設定される方式と、のうちの少なくとも１つでフレーム構成を設定する。
【０２０５】
なお、設定されるフレーム構成は、アップリンクＵＬフレーム構成、ダウンリンクＤＬフレーム構成、フレキシブルフレーム構成、ｂａｃｋｈａｕｌＵＬフレーム構成、ｂａｃｋｈａｕｌＤＬフレーム構成、ｂａｃｋｈａｕｌ  ｍｕｌｔｉｐｌｅｘｉｎｇフレーム構成を含む。
【０２０６】
なお、本実施形態の上記態様は、第１のノード側から説明されるが、本実施形態を第２のノード側から説明すると、本実施形態は、フレーム構成の設定装置を更に提供し、該装置は第２のノード側に適用され、第１のノードに対してフレーム構成パラメータを設定するように構成された設定モジュールを含み、フレーム構成パラメータは、フレーム構成の周期とタイプを含み、フレーム構成パラメータは、共通フレーム構成パラメータ、第１の専用フレーム構成パラメータ及び第２の専用フレーム構成パラメータを含む。
【０２０７】
共通フレーム構成パラメータと第１の専用フレーム構成パラメータはフレーム構成のアップリンク／ダウンリンク分割状況を取得するために用いられ、第２の専用フレーム構成パラメータは、ｂａｃｋｈａｕｌリンクのアップリンク伝送用のフレーム構成とｂａｃｋｈａｕｌリンクのダウンリンク伝送用のフレーム構成を決定するために用いられる。
【０２０８】
フレーム構成の周期は、スロット持続時間の整数倍であり、フレーム構成のタイプは、アップリンクＵＬフレーム構成、ダウンリンクＤＬフレーム構成及びＦｌｅｘｉｂｌｅフレーム構成を含む。第２の専用フレーム構成パラメータ中のフレーム構成のタイプは、アップリンクｂａｃｋｈａｕｌフレーム構成、ダウンリンクｂａｃｋｈａｕｌフレーム構成のうちの少なくとも１つを含む。
【０２０９】
なお、上記各モジュールは、ソフトウェア又はハードウェアにより実現することができ、後者の場合、上記モジュールがいずれも同一のプロセッサにある態様、又は、上記各モジュールが任意組み合わせた形式でそれぞれ異なるプロセッサにある態様で実現することができるが、これらに限定されない。
【０２１０】
本開示の実施形態は、実行されると、上記いずれか１つの方法の実施形態におけるステップが実行されるように構成されるコンピュータプログラムが記憶されている記憶媒体を更に提供する。
【０２１１】
好ましくは、本実施形態では、上記記憶媒体は、以下のステップＳ１とＳ２を実行するためのコンピュータプログラムを記憶するように構成されてもよい。
【０２１２】
Ｓ１では、第１のノードは第２のノードによって設定されたフレーム構成パラメータを受信し、フレーム構成パラメータはフレーム構成の周期とタイプを含み、フレーム構成パラメータは共通フレーム構成パラメータ、第１の専用フレーム構成パラメータ及び第２の専用フレーム構成パラメータを含む。
【０２１３】
Ｓ２では、第１のノードは共通フレーム構成パラメータ及び／又は第１の専用フレーム構成パラメータに基づいてフレーム構成のアップリンク／ダウンリンク分割状況を取得し、第２の専用フレーム構成パラメータに基づいてｂａｃｋｈａｕｌリンクのアップリンク伝送用のフレーム構成及びｂａｃｋｈａｕｌリンクのダウンリンク伝送用のフレーム構成を決定する。
【０２１４】
本開示の実施形態は、実行されると、上記いずれか１つの方法の実施形態におけるステップが実行されるように構成されるコンピュータプログラムが記憶されている記憶媒体を更に提供する。
【０２１５】
好ましくは、本実施形態では、上記記憶媒体は、以下のステップＳ１を実行するためのコンピュータプログラムを記憶するように構成されてもよい。
【０２１６】
Ｓ１では、第２のノードは第１のノードに対してフレーム構成パラメータを設定し、フレーム構成パラメータはフレーム構成の周期とタイプを含み、フレーム構成パラメータは共通フレーム構成パラメータ、第１の専用フレーム構成パラメータ及び第２の専用フレーム構成パラメータを含む。
【０２１７】
好ましくは、本実施形態では、上記記憶媒体は、ＵＳＢフラッシュドライブ、リードオンリーメモリ（Ｒｅａｄ−Ｏｎｌｙ  Ｍｅｍｏｒｙ、ＲＯＭと略称する）、ランダムアクセスメモリ（Ｒａｎｄｏｍ  Ａｃｃｅｓｓ  Ｍｅｍｏｒｙ、ＲＡＭと略称する）、モバイルハードディスク、ディスク又はＣＤなどの、プログラムコードを記憶できる様々な媒体を含むが、これらに限定されない。
【０２１８】
好ましくは、本実施形態の具体的な例としては、上記実施形態及び好ましい実施形態において説明された例を参照することができ、本実施形態では説明を省略する。
【０２１９】
明らかに、当業者が理解できるように、上記本開示の各モジュール又は各ステップは、汎用のコンピュータ装置で実現することができ、それらは、単一のコンピュータ装置に集積してもよく、複数のコンピュータ装置からなるネットワークに分布してもよく、好ましくは、それらは、コンピュータ装置に実行可能なプログラムコードで実現するため、それらを記憶装置に記憶してコンピュータ装置で実行することができ、いくつかの場合で、ここでの順序と異なる順序で、示されたか又は説明されたステップを実行することも可能であり、或いは、それらをそれぞれ各集積回路モジュールに作製するか、又はそれらのうちの複数のモジュール又はステップを単一の集積回路モジュールに作製して実現することも可能である。このように、本開示は、如何なる特定のハードウェアとソフトウェアとの組み合わせにも限定されない。
【０２２０】
以上は、本開示の好ましい実施形態に過ぎず、本開示を限定するものではなく、当業者であれば、本開示に対して様々な修正と変更を行うことができる。本開示の原則内に行われる如何なる修正、同等置換、改善等は、いずれも本開示の保護範囲に含まれるべきである。
【図１】
2022502936.tif 000003
【図２】
2022502936.tif 000004
【図３】
2022502936.tif 000005
【図４】
2022502936.tif 000006
【図５】
2022502936.tif 000007
【図６】
2022502936.tif 000008
【図７】
2022502936.tif 000009
【図８】
2022502936.tif 000010
【図９】
2022502936.tif 000011
【図１０】
2022502936.tif 000012
【図１１】
2022502936.tif 000013
【図１２】
2022502936.tif 000014
【図１３】
2022502936.tif 000015
【手続補正書】
【提出日】令和3年5月28日(2021.5.28)
【手続補正１】
【補正対象書類名】特許請求の範囲
【補正対象項目名】全文
【補正方法】変更
【補正の内容】
【特許請求の範囲】
【請求項１】
第１のノードが、第２のノードによって設定されたフレーム構成パラメータを受信するステップであって、前記フレーム構成パラメータがフレーム構成の周期とタイプを含み、前記フレーム構成パラメータが共通フレーム構成パラメータ、第１の専用フレーム構成パラメータ、第２の専用フレーム構成パラメータのうちの少なくとも１つを含む、ステップと、
前記第１のノードが、前記共通フレーム構成パラメータ及び／又は第１の専用フレーム構成パラメータに基づいてフレーム構成のアップリンク／ダウンリンク分割状況を取得し、前記第２の専用フレーム構成パラメータに基づいてバックホールｂａｃｋｈａｕｌリンクのアップリンク伝送用のフレーム構成及びｂａｃｋｈａｕｌリンクのダウンリンク伝送用のフレーム構成を決定するステップと、を含むフレーム構成の設定方法。
【請求項２】
前記フレーム構成の周期は、スロット持続時間の整数倍であり、
前記フレーム構成のタイプは、アップリンクＵＬフレーム構成、ダウンリンクＤＬフレーム構成、Ｆｌｅｘｉｂｌｅフレーム構成を含む、請求項１に記載の方法。
【請求項３】
前記第２の専用フレーム構成パラメータ中のフレーム構成のタイプは、アップリンクｂａｃｋｈａｕｌフレーム構成、ダウンリンクｂａｃｋｈａｕｌフレーム構成のうちの少なくとも１つを含む、請求項２に記載の方法。
【請求項４】
前記フレーム構成パラメータは、伝送方向を更に含み、
前記第１のノードの下位ノードが端末ではなく、前記第１のノードと同じタイプの伝送ノードである場合、前記第２の専用フレーム構成パラメータの伝送方向は、前記共通フレーム構成パラメータ及び第１の専用フレーム構成パラメータの伝送方向を上書きするために用いられる、請求項３に記載の方法。
【請求項５】
前記第１のノードが、前記フレーム構成パラメータの組み合わせに基づいて、
１周期内に最終的にアップリンク／ダウンリンクに用いられる伝送タイムユニットと、
１周期内に最終的にｂａｃｋｈａｕｌアップリンク伝送又はｂａｃｋｈａｕｌダウンリンク受信に用いられる伝送タイムユニットと、
１周期内に最終的に本ノードがアップリンクタイムユニットをスケジューリングするための潜在的位置、又は１周期内に最終的に本ノードがダウンリンクタイムユニットをスケジューリングするための潜在的位置と、のうちの少なくとも１つを決定するステップを更に含み、
前記フレーム構成パラメータの組み合わせは、前記共通フレーム構成パラメータ、前記第１の専用フレーム構成パラメータ及び前記第２の専用フレーム構成パラメータと、前記共通フレーム構成パラメータ及び前記第２の専用フレーム構成パラメータと、前記第１の専用フレーム構成パラメータ及び第２の専用フレーム構成パラメータと、のうちの少なくとも１つを含む、請求項１に記載の方法。
【請求項６】
前記第１のノードの下位ノードがユーザ端末ではなく、前記第１のノードと同じタイプの伝送ノードであり、かつ前記第１のノードのｂａｃｋｈａｕｌリソースが下位の伝送ノードのｂａｃｋｈａｕｌリソースとオーバーラップするか又は部分的にオーバーラップする場合、前記第１のノードと下位の伝送ノードとの送受信状態が逆であり、前記送受信状態が逆であるとは、前記第１のノードがｂａｃｋｈａｕｌリソースで受信動作を実行するとき、下位の伝送ノードがオーバーラップするか又は部分的にオーバーラップする領域で送信動作を実行することを指し、
前記第１のノードの下位ノードがユーザ端末ではなく、前記第１のノードと同じタイプの伝送ノードであり、かつ前記第１のノードのｂａｃｋｈａｕｌリソースが下位の伝送ノードのｂａｃｋｈａｕｌリソースとオーバーラップしない場合、前記第１のノードと下位の伝送ノードとの送受信状態が逆又は同じであり、
前記第１のノードの下位ノードがユーザ端末である場合、前記ユーザ端末に対して設定されたフレーム構成が前記第１のノードのアップリンク／ダウンリンク分割状況と一致する、請求項１に記載の方法。
【請求項７】
前記第２の専用フレーム構成パラメータは、共通フレーム構成パラメータと第１の専用フレーム構成パラメータとの組み合わせで形成され、及び／又は、前記第２の専用フレーム構成パラメータは動的シグナリングであり、
前記動的シグナリングは、ダウンリンク制御情報ＤＣＩによって搬送されるフレーム構成設定パラメータである、請求項１に記載の方法。
【請求項８】
前記第１のノードは、
前記第１のノードが前記共通フレーム構成パラメータ及び／又は前記第１の専用フレーム構成パラメータ及び／又は前記第２の専用フレーム構成パラメータに基づいて下位ノードのフレーム構成を自律的に設定する方式と、
前記第１のノードが前記第１の専用フレーム構成パラメータ及び／又は動的フレーム構成パラメータに基づいて下位ノードのフレーム構成を自律的に設定する方式であって、前記動的フレーム構成パラメータが物理ダウンリンク制御チャネルＰＤＣＣＨによって設定される方式と、
前記第１のノードが前記共通フレーム構成パラメータ、前記第１の専用フレーム構成パラメータ及び動的フレーム構成パラメータに基づいて下位ノードのフレーム構成を設定する方式であって、設定されるフレーム構成が、アップリンクＵＬフレーム構成、ダウンリンクＤＬフレーム構成、フレキシブルフレーム構成、ｂａｃｋｈａｕｌ  ＵＬフレーム構成、ｂａｃｋｈａｕｌ  ＤＬフレーム構成、ｂａｃｋｈａｕｌ  ｍｕｌｔｉｐｌｅｘｉｎｇフレーム構成を含む方式と、
前記第１のノードが前記共通フレーム構成パラメータ及び／又は第１の専用フレーム構成パラメータ及び／又は動的フレーム構成パラメータに基づいて下位ノードのフレーム構成を自律的に設定する方式であって、前記動的フレーム構成パラメータがＰＤＣＣＨによって設定される方式と、のうちの少なくとも１つでフレーム構成を設定する、請求項１に記載の方法。
【請求項９】
前記第１のノードは、対応するダウンリンクｂａｃｋｈａｕｌ伝送リソースで前記第１のノードの上位ノードに所望のパワー調整を報告し、
前記パワー調整は、対応する帯域幅の受信パワー調整値、対応する帯域幅の送信パワー調整値、対応する帯域幅の所望の受信パワー、対応する帯域幅の所望の送信パワー、のうちの１つを含み、前記対応する帯域幅は１つのリソースブロックＲＢの帯域幅である、請求項１に記載の方法。
【請求項１０】
前記第１のノードは、ダウンリンクｂａｃｋｈａｕｌ伝送リソースに用いられるパワー調整を下位ノードに指示し、
前記パワー調整の値は、対応する帯域幅の受信パワー調整値、対応する帯域幅の送信パワー調整値、対応する帯域幅の所望の受信パワー、対応する帯域幅の所望の送信パワー、のうちの１つを含み、
或いは、前記パワー調整は、要求されたパワー調整値に基づいて調整するか否かを下位ノードに指示するように前記第１のノードに指示するために用いられ、
前記対応する帯域幅は１つのリソースブロックＲＢの帯域幅である、請求項１に記載の方法。
【請求項１１】
前記第１のノードが、上位ノードからのパワー調整指示を受信し、前記パワー調整指示に従って、対応するリソースで前記第１のノードの下位ノードのアップリンク伝送を多重化するステップと、
前記第１のノードが、上位ノードから送信されたｂａｃｋｈａｕｌデータを受信するステップと、
前記第１のノードが、下位ノードのｂａｃｋｈａｕｌリソースとオーバーラップするか又は部分的にオーバーラップする領域において下位ノードのアップリンクｂａｃｋｈａｕｌ伝送をスケジューリングするステップと、を更に含む請求項１に記載の方法。
【請求項１２】
第２のノードが、第１のノードに対してフレーム構成パラメータを設定するステップであって、前記フレーム構成パラメータがフレーム構成の周期とタイプを含み、前記フレーム構成パラメータが共通フレーム構成パラメータ、第１の専用フレーム構成パラメータ、第２の専用フレーム構成パラメータを含む、ステップを含み、
前記共通フレーム構成パラメータと第１の専用フレーム構成パラメータとは、フレーム構成のアップリンク／ダウンリンク分割状況を取得するために用いられ、前記第２の専用フレーム構成パラメータは、ｂａｃｋｈａｕｌリンクのアップリンク伝送用のフレーム構成及びｂａｃｋｈａｕｌリンクのダウンリンク伝送用のフレーム構成を決定するために用いられる、フレーム構成の設定方法。
【請求項１３】
前記フレーム構成の周期は、スロット持続時間の整数倍であり、
前記フレーム構成のタイプは、アップリンクＵＬフレーム構成、ダウンリンクＤＬフレーム構成、Ｆｌｅｘｉｂｌｅフレーム構成を含み、
前記第２の専用フレーム構成パラメータ中のフレーム構成のタイプは、アップリンクｂａｃｋｈａｕｌフレーム構成、ダウンリンクｂａｃｋｈａｕｌフレーム構成のうちの少なくとも１つを含む、請求項１２に記載の方法。
【請求項１４】
第１のノード側に適用されるフレーム構成の設定装置であって、
第２のノードによって設定されたフレーム構成パラメータを受信するように構成された受信モジュールであって、前記フレーム構成パラメータがフレーム構成の周期とタイプを含み、前記フレーム構成パラメータが共通フレーム構成パラメータ、第１の専用フレーム構成パラメータ、第２の専用フレーム構成パラメータを含む受信モジュールと、
前記共通フレーム構成パラメータ及び／又は第１の専用フレーム構成パラメータに基づいてフレーム構成のアップリンク／ダウンリンク分割状況を取得し、前記第２の専用フレーム構成パラメータに基づいてｂａｃｋｈａｕｌリンクのアップリンク伝送用のフレーム構成及びｂａｃｋｈａｕｌリンクのダウンリンク伝送用のフレーム構成を決定するように構成された処理モジュールと、を含む、フレーム構成の設定装置。
【請求項１５】
第２のノード側に適用されるフレーム構成の設定装置であって、
第１のノードに対してフレーム構成パラメータを設定するように構成された設定モジュールであって、前記フレーム構成パラメータはフレーム構成の周期とタイプを含み、前記フレーム構成パラメータは共通フレーム構成パラメータ、第１の専用フレーム構成パラメータ、第２の専用フレーム構成パラメータを含む、設定モジュールを含み、
前記共通フレーム構成パラメータと第１の専用フレーム構成パラメータとは、フレーム構成のアップリンク／ダウンリンク分割状況を取得するために用いられ、前記第２の専用フレーム構成パラメータは、ｂａｃｋｈａｕｌリンクのアップリンク伝送用のフレーム構成及びｂａｃｋｈａｕｌリンクのダウンリンク伝送用のフレーム構成を決定するために用いられる、フレーム構成の設定装置。
【国際調査報告】
2022502936.tif 000016
2022502936.tif 000017
2022502936.tif 000018
2022502936.tif 000019